(57)【特許請求の範囲】
【請求項１】
アクセスポイント（ＡＰ）において、前記ＡＰに関連付けられた局（ＳＴＡ）における送信要求／送信可（ＲＴＳ／ＣＴＳ）プロトコルのアップリンク（ＵＬ）送信を無効化することまたは有効化することの一方または両方をトリガするための１つまたは複数の条件を識別することと、ここにおいて、前記１つまたは複数の条件を識別することが、前記ＳＴＡにおける前記ＲＴＳ／ＣＴＳプロトコルの前記ＵＬ送信を無効化するためのパケットタイプを識別することをさらに備える、
前記ＡＰにおいて、前記ＳＴＡのための持続時間送信機会（ＴＸＯＰ）しきい値を決定することと、
前記ＳＴＡを含む１つまたは複数のＳＴＡに前記ＴＸＯＰしきい値を有するメッセージをブロードキャストすべきなのか、前記ＳＴＡに前記メッセージをユニキャストすべきなのかを決定することと、
前記メッセージをブロードキャストすべきなのか、前記メッセージをユニキャストすべきなのかの前記決定に従って前記メッセージを送信することと、ここにおいて、前記ＳＴＡは、前記ＳＴＡに関連付けられた計画されたＴＸＯＰ持続時間が前記ＴＸＯＰしきい値を満たすとき、前記ＳＴＡにおける前記ＲＴＳ／ＣＴＳプロトコルの前記ＵＬ送信を有効化する、
前記ＳＴＡに構成メッセージを送信することと、前記構成メッセージが、前記ＲＴＳ／ＣＴＳプロトコルの前記ＵＬ送信を無効化することまたは有効化することの一方または両方を前記ＳＴＡにおいてトリガするための前記１つまたは複数の条件を示す構成情報を含み、ここにおいて、前記構成情報が前記パケットタイプをさらに示す、
を備える、ワイヤレス通信のための方法。
【請求項２】
前記１つまたは複数の条件は、送信オーバーヘッドパラメータが所定のオーバーヘッドしきい値よりも小さいという無効化条件を含む、請求項１に記載の方法。
【請求項３】
前記送信オーバーヘッドパラメータがＰＬＣＰプロトコルデータユニット（ＰＰＤＵ）持続時間であり、前記所定のオーバーヘッドしきい値がＰＰＤＵしきい値であるか、または
前記送信オーバーヘッドパラメータが送信機会（ＴＸＯＰ）であり、前記所定のオーバーヘッドしきい値がＴＸＯＰしきい値である、請求項２に記載の方法。
【請求項４】
前記１つまたは複数の条件は、リンク品質パラメータが所定のリンク品質しきい値よりも大きいという無効化条件を含む、請求項１に記載の方法。
【請求項５】
前記リンク品質パラメータがＲＳＳＩであり、前記所定のリンク品質しきい値がＲＳＳＩしきい値であるか、または
前記リンク品質パラメータがＭＣＳインデックス値であり、前記所定のリンク品質しきい値がＲＳＳＩしきい値である、請求項４に記載の方法。
【請求項６】
前記１つまたは複数の条件を識別することが、前記ＳＴＡにおける前記ＲＴＳ／ＣＴＳプロトコルの前記ＵＬ送信を無効化するための時間ウィンドウまたはチャネルを識別することを備え、
前記構成メッセージが、前記時間ウィンドウまたはチャネルを示す構成情報を含む、請求項１に記載の方法。
【請求項７】
前記１つまたは複数の条件は、衝突パラメータが所定の衝突しきい値よりも小さいという無効化条件を含む、請求項１に記載の方法。
【請求項８】
前記衝突パラメータがＰＥＲであり、前記所定の衝突しきい値がＰＥＲしきい値であるか、または
前記衝突パラメータが再送信の数であり、前記所定の衝突しきい値が再試行しきい値である、請求項７に記載の方法。
【請求項９】
現在のＴＸＯＰしきい値を前記メッセージ中の前記ＴＸＯＰしきい値と交換するようにとの指示を送信することをさらに備える、請求項１に記載の方法。
【請求項１０】
前記メッセージを送信することが、前記メッセージをブロードキャストすることを含み、前記指示が、現在のＴＸＯＰしきい値を前記ブロードキャストメッセージ中の前記ＴＸＯＰしきい値と交換するようにとの、前記１つまたは複数のＳＴＡの各々のための共通指示である前記ブロードキャストメッセージ中のシングルビットである、請求項９に記載の方法。
【請求項１１】
前記メッセージを送信することが、前記メッセージをブロードキャストすることを含み、前記指示が前記ブロードキャストメッセージ中のビットマップであり、ここで、前記ビットマップ中の各設定されたビットは、前記現在のＴＸＯＰしきい値が、前記ブロードキャストメッセージ中の前記ＴＸＯＰしきい値と交換されるべきである前記１つまたは複数のＳＴＡのそれぞれのＳＴＡを識別する、請求項９に記載の方法。
【請求項１２】
前記メッセージを送信することが、前記メッセージを前記ＳＴＡにユニキャストすることを含み、前記ＳＴＡにおける現在のＴＸＯＰしきい値が、前記ユニキャストメッセージ中の前記ＴＸＯＰしきい値と交換されるべきである、前にブロードキャストされたＴＸＯＰしきい値である、請求項１に記載の方法。
【請求項１３】
前記メッセージが、前記ＴＸＯＰしきい値を有するアップリンク（ＵＬ）送信要求／送信可（ＲＴＳ／ＣＴＳ）制御情報要素（ＩＥ）を含む、請求項１に記載の方法。
【請求項１４】
局（ＳＴＡ）において、アクセスポイント（ＡＰ）から、前記ＡＰに関連付けられた前記ＳＴＡにおける送信要求／送信可（ＲＴＳ／ＣＴＳ）プロトコルのアップリンク（ＵＬ）送信を無効化することまたは有効化することの一方または両方をトリガするための１つまたは複数の条件を示す構成情報を含む構成メッセージを受信することと、
前記構成メッセージ中で与えられた前記構成情報に基づいて前記ＳＴＡを構成することと、ここにおいて、前記構成情報が、前記ＳＴＡにおける前記ＲＴＳ／ＣＴＳプロトコルの前記ＵＬ送信を無効化するためのパケットタイプをさらに示す、
前記ＳＴＡにおいて、送信機会（ＴＸＯＰ）しきい値を有するメッセージを受信することと、
前記受信されたメッセージ中の指示に基づいて、前記ＳＴＡにおける現在のＴＸＯＰしきい値を、前記受信されたメッセージ中の前記ＴＸＯＰしきい値と交換することと、
計画されたＴＸＯＰ持続時間が前記ＴＸＯＰしきい値を満たすと決定することと、
前記計画されたＴＸＯＰ持続時間が前記ＴＸＯＰしきい値を満たすという決定に応答してＵＬ  ＲＴＳフレームを送信することと
を備える、ワイヤレス通信のための方法。
【請求項１５】
前記メッセージが前記ＡＰからのブロードキャストメッセージであり、前記指示が、前記現在のＴＸＯＰしきい値を前記ブロードキャストメッセージ中の前記ＴＸＯＰしきい値と交換するようにとの共通指示である前記ブロードキャストメッセージ中のシングルビットである、請求項１４に記載の方法。
【請求項１６】
前記メッセージが前記ＡＰからのブロードキャストメッセージであり、前記指示が前記ブロードキャストメッセージ中のビットマップであり、ここで、前記ビットマップ中の１つの設定されたビットは、前記ＳＴＡを、前記現在のＴＸＯＰしきい値が、前記ブロードキャストメッセージ中の前記ＴＸＯＰしきい値と交換されるべきであるＳＴＡとして識別する、請求項１４に記載の方法。
【請求項１７】
前記メッセージがユニキャストメッセージであり、前記ＳＴＡにおける前記現在のＴＸＯＰしきい値が、前記ユニキャストメッセージ中の前記ＴＸＯＰしきい値と交換されるべきである、前にブロードキャストされたＴＸＯＰしきい値である、請求項１４に記載の方法。
【請求項１８】
前記メッセージが、前記ＴＸＯＰしきい値を有するアップリンク（ＵＬ）送信要求／送信可（ＲＴＳ／ＣＴＳ）制御情報要素（ＩＥ）を含む、請求項１４に記載の方法。
【請求項１９】
プロセッサと、
前記プロセッサに結合されたメモリとを備え、ここにおいて、前記メモリは、
アクセスポイント（ＡＰ）において、前記ＡＰに関連付けられた局（ＳＴＡ）における送信要求／送信可（ＲＴＳ／ＣＴＳ）プロトコルのアップリンク（ＵＬ）送信を無効化することまたは有効化することの一方または両方をトリガする１つまたは複数の条件を識別することと、
前記ＳＴＡにおける前記ＲＴＳ／ＣＴＳプロトコルの前記ＵＬ送信を無効化するためのパケットタイプを識別することと、
前記ＲＴＳ／ＣＴＳプロトコルの前記ＵＬ送信を無効化することまたは有効化することの一方または両方を前記ＳＴＡにおいてトリガする前記１つまたは複数の条件および前記パケットタイプを示す構成情報を含む構成メッセージを前記ＳＴＡに送信することと
を行うために前記プロセッサによって実行可能な命令を含み、ここにおいて、前記プロセッサによって実行可能な前記命令が、
前記ＡＰにおいて、前記ＳＴＡのための送信機会（ＴＸＯＰ）しきい値を決定することと、
前記ＳＴＡを含む１つまたは複数のＳＴＡに前記ＴＸＯＰしきい値を有するメッセージをブロードキャストすべきなのか、前記ＳＴＡに前記メッセージをユニキャストすべきなのかを決定することと、
前記メッセージをブロードキャストすべきなのか、前記メッセージをユニキャストすべきなのかの前記決定に従って前記メッセージを送信することと、ここにおいて、前記ＳＴＡは、前記ＳＴＡに関連付けられた計画されたＴＸＯＰ持続時間が前記ＴＸＯＰしきい値を満たすとき、前記ＳＴＡにおける前記ＲＴＳ／ＣＴＳプロトコルの前記ＵＬ送信を有効化する、
を行うためにさらに実行可能である、ワイヤレス通信のための装置。
【請求項２０】
前記１つまたは複数の条件は、送信オーバーヘッドパラメータが所定のオーバーヘッドしきい値よりも小さいという無効化条件を含む、請求項１９に記載の装置。
【請求項２１】
前記１つまたは複数の条件は、リンク品質パラメータが所定のリンク品質しきい値よりも大きいという無効化条件を含む、請求項１９に記載の装置。
【請求項２２】
前記命令が、
前記１つまたは複数の条件に基づいて、前記ＳＴＡにおける前記ＲＴＳ／ＣＴＳプロトコルの前記ＵＬ送信を無効化するための時間ウィンドウまたはチャネルを識別することを行うためにさらに実行可能である、請求項１９に記載の装置。
【請求項２３】
プロセッサと、
前記プロセッサに結合されたメモリとを備え、ここにおいて、前記メモリは、
局（ＳＴＡ）において、アクセスポイント（ＡＰ）から、前記ＡＰに関連付けられた前記ＳＴＡにおける送信要求／送信可（ＲＴＳ／ＣＴＳ）プロトコルのアップリンク（ＵＬ）送信を無効化することまたは有効化することの一方または両方をトリガする１つまたは複数の条件を示す構成情報を含む構成メッセージを受信することと、
前記構成メッセージ中で与えられた前記構成情報に基づいて前記ＳＴＡを構成することと、ここにおいて、前記構成情報が、前記ＳＴＡにおける前記ＲＴＳ／ＣＴＳプロトコルの前記ＵＬ送信を無効化するためのパケットタイプをさらに示す、
前記ＳＴＡにおいて、送信機会（ＴＸＯＰ）しきい値を有するメッセージを受信することと、
前記受信されたメッセージ中の指示に基づいて、前記ＳＴＡにおける現在のＴＸＯＰしきい値を、前記受信されたメッセージ中の前記ＴＸＯＰしきい値と交換することと、
計画されたＴＸＯＰ持続時間が前記ＴＸＯＰしきい値を満たすと決定することと、
前記計画されたＴＸＯＰ持続時間が前記ＴＸＯＰしきい値を満たすという決定に応答してＵＬ  ＲＴＳフレームを送信することと
を行うために前記プロセッサによって実行可能な命令を含む、ワイヤレス通信のための装置。
【請求項２４】
前記構成メッセージが前記ＡＰからのブロードキャストメッセージであり、前記構成メッセージの前記構成情報が、前記現在のＴＸＯＰしきい値を前記ブロードキャストメッセージ中の前記ＴＸＯＰしきい値と交換するようにとの共通指示である前記ブロードキャストメッセージ中のシングルビットを含む、請求項２３に記載の装置。
【請求項２５】
前記構成メッセージが前記ＡＰからのブロードキャストメッセージであり、前記構成メッセージの前記構成情報が前記ブロードキャストメッセージ中のビットマップを含み、ここで、前記ビットマップ中の１つの設定されたビットは、前記ＳＴＡを、前記現在のＴＸＯＰしきい値が、前記ブロードキャストメッセージ中の前記ＴＸＯＰしきい値と交換されるべきであるＳＴＡとして識別する、請求項２３に記載の装置。
【発明の詳細な説明】
【技術分野】
【０００１】
米国特許法第１２０条に基づく優先権の主張
[0001]本出願は、２０１６年８月２３日に出願された、「ACCESS POINT (AP) CONTROLLED UPLINK RTS/CTS CONFIGURATION AND DISABLEMENT」と題する非仮出願第１５／２４４，７１３号、２０１６年２月４日に出願された、「ACCESS POINT (AP) CONTROLLED UPLINK RTS/CTS CONFIGURATION AND DISABLEMENT」と題する仮出願第６２，２９１，４３０号の優先権を主張し、２０１５年８月２５日に出願された、同じ名称の仮出願第６２／２０９，６８０号の優先権をさらに主張する。すべての非仮出願および仮出願は、本出願の譲受人に譲渡されており、参照により本明細書に明確に組み込まれる。
【背景技術】
【０００２】
[0002]本開示は、一般に通信システムに関し、より詳細には、ワイヤレスネットワークにおけるアクセスポイント（ＡＰ）制御アップリンク送信要求／送信可（ＲＴＳ：request-to-send／ＣＴＳ：clear-to-send）構成および無効化のための技法に関する。
【０００３】
[0003]自宅、オフィス、および様々な公共施設におけるワイヤレスローカルエリアネットワーク（ＷＬＡＮ）の展開は今日珍しくない。そのようなネットワークは、一般に、特定の場所（たとえば、自宅、オフィス、公共施設など）におけるいくつかのワイヤレス局（ＳＴＡ）を、インターネットなど、別のネットワークに接続するワイヤレスアクセスポイント（ＡＰ）を採用する。ＳＴＡのセットは、基本サービスセット（ＢＳＳ）と呼ばれるものにおける共通ＡＰを通して互いと通信することができる。しかしながら、いくつかのＷＬＡＮネットワーク展開は、高密度である（たとえば、複数のＡＰのカバレージエリア内に展開された多数のＳＴＡを有する）ことがあり、このことは、チャネルまたは媒体使用に関係する問題を生じ得る。他の例では、ワイヤレスネットワークは、端末が特定のＡＰの使用なしに互いと直接非同期的に通信、「アドホック」通信システムとして構成され得る。
【０００４】
[0004]したがって、複数のＳＴＡおよびＡＰが、限られたエリア中で動作する場合、ワイヤレス媒体にアクセスすることを試みるＳＴＡおよび／またはＡＰの間で、トラフィック衝突および干渉が起こり得る。いくつかの態様では、ワイヤレス媒体へのアクセスを協調させることによって（たとえば、複数のＳＴＡが同時にワイヤレス媒体にアクセスすることを試みる）トラフィック衝突を回避するかまたは最小限に抑えるための様々な技法およびシステムが開発されている。衝突回避（ＣＡ：collision avoidance）システムの一例は、ＲＴＳ／ＣＴＳプロトコルプロシージャの利用であり得る。ＲＴＳ／ＣＴＳプロトコルプロシージャは、たとえば、（たとえば、ノードが、ＡＰから認識できるが、ＡＰと通信する他のノードから認識できないとき）隠れノード問題によって導入されるフレーム衝突を低減するために、米国電気電子技術者協会（ＩＥＥＥ）８０２．１１ワイヤレスネットワーキングプロトコルによって使用される随意の機構である。
【０００５】
[0005]しかしながら、従来のシステムが、ワイヤレスネットワークにおける変動する条件にかかわらず固定ＲＴＳ／ＣＴＳプロトコルプロシージャに依拠することが、全体的ネットワーク性能に悪影響を及ぼす他の問題を起こし得る。一例では、従来のＲＴＳ／ＣＴＳプロトコルの利用は、近くにあるが別のＡＰに関連付けられたワイヤレスノード（たとえば、重複基本サービスセット（ＯＢＳＳ）ノード）が、交換をオーバーヒアし（overhear）、したがって、ＲＴＳにおける指定された期間の間送信することをバックオフおよび中止することを強制され得る露出端末問題を生じ得る。他の例では、ワイヤレス媒体にアクセスすることより前にＲＴＳ／ＣＴＳフレームまたはパケットを送信することは、反直観的（counter intuitive）であり得、ここで、送信のためにスケジュールされたアップリンクフレームが、ＲＴＳ／ＣＴＳプロトコルプロシージャ自体よりも短い持続時間を有する。
【発明の概要】
【０００６】
[0006]本開示は、ＳＴＡにおいて変動する条件に基づいてＲＴＳ／ＣＴＳプロトコルプロシージャの利用を構成するための技法に関係する様々な態様を与える。たとえば、いくつかの態様では、ＡＰは、１つまたは複数の条件を識別し得、満たされるとき、ＲＴＳ／ＣＴＳプロトコルプロシージャに関連付けられたアップリンク（ＵＬ）送信を有効化するまたは無効化するのいずれかを行うようにＳＴＡをトリガし得る。追加または代替として、いくつかの態様では、ＡＰは、ＳＴＡのための送信機会（ＴＸＯＰ）しきい値を決定し得、そのＳＴＡを含む複数のＳＴＡにＴＸＯＰしきい値を有するメッセージをブロードキャストすべきなのか、そのＳＴＡにメッセージをユニキャストすべきなのかを決定し得る。次いで、ＡＰは、決定に従って、メッセージをブロードキャストするかまたはユニキャストし得る。追加または代替として、いくつかの態様では、ＳＴＡは、ＴＸＯＰしきい値を有するメッセージをＡＰから受信し得、受信されたメッセージ中の指示に基づいて、ＳＴＡにおける現在のＴＸＯＰしきい値を、受信されたメッセージ中のＴＸＯＰしきい値と交換し得る。ＳＴＡは、計画されたＴＸＯＰ持続時間がＴＸＯＰしきい値を満たすという決定に応答してＵＬ  ＲＴＳフレームを送信し得る。
【０００７】
[0007]一例では、ワイヤレス通信のための方法が開示される。本方法は、ＡＰにおいて、ＡＰに関連付けられたＳＴＡにおけるＲＴＳ／ＣＴＳプロトコルのＵＬ送信を無効化することまたは有効化することのうちの１つまたは複数のための１つまたは複数の条件を識別することを含み得る。本方法は、ＳＴＡに構成メッセージを送信することをさらに含み得る。構成メッセージは、１つまたは複数の条件を示す構成情報を含み得る。
【０００８】
[0008]別の例では、ワイヤレス通信のための装置が開示される。本装置は、プロセッサと、プロセッサに結合されたメモリとを含み得る。メモリは、ＡＰにおいて、ＡＰに関連付けられたＳＴＡにおけるＲＴＳ／ＣＴＳプロトコルのＵＬ送信を無効化または有効化するための１つまたは複数の条件を識別することを行うためにプロセッサによって実行可能な命令を含み得る。命令は、ＳＴＡに構成メッセージを送信することをさらに含み得る。いくつかの例では、構成メッセージは、１つまたは複数の条件を示す構成情報を含み得る。
【０００９】
[0009]さらなる例では、ワイヤレス通信のための別の方法が開示される。本方法は、ＳＴＡにおいて、ＡＰから構成メッセージを受信することを含み得る。構成メッセージは、ＡＰに関連付けられたＳＴＡにおけるＲＴＳ／ＣＴＳプロトコルのＵＬ送信を無効化することまたは有効化することのうちの１つまたは複数のための１つまたは複数の条件を示す構成情報を含み得る。本方法は、構成メッセージ中で与えられた構成情報に基づいてＳＴＡを構成することをさらに含み得る。
【００１０】
[0010]いくつかの例では、ワイヤレス通信のための別の装置が開示される。本装置は、プロセッサと、プロセッサに結合されたメモリとを含み得る。メモリは、ＳＴＡにおいて、ＡＰから構成メッセージを受信することを行うためにプロセッサによって実行可能な命令を含み得る。構成メッセージは、ＡＰに関連付けられたＳＴＡにおけるＲＴＳ／ＣＴＳプロトコルのＵＬ送信を無効化または有効化するための１つまたは複数の条件を示す構成情報を含み得る。本装置は、構成メッセージ中で与えられた構成情報に基づいてＳＴＡを構成することをさらに含み得る。
【００１１】
[0011]装置および方法の様々な態様が例として図示および説明される、以下の発明を実施するための形態から、当業者には装置および方法の他の態様が容易に明らかになることを理解されたい。了解されるように、これらの態様は、他のおよび異なる形態で実装され得、それのいくつかの詳細は、様々な他の点において変更が可能である。したがって、図面および発明を実施するための形態は、本質的に例示的なものと見なされるべきであり、限定的なものと見なされるべきではない
【図面の簡単な説明】
【００１２】
【図１Ａ】[0012]本開示の態様が採用され得る、例示的なワイヤレス通信システムを示す図。
【図１Ｂ】本開示の態様が採用され得る、例示的なワイヤレス通信システムを示す図。
【図２Ａ】[0013]本開示の様々な態様による、ＡＰ上で実装されるワイヤレス通信の例示的な方法のフローチャート。
【図２Ｂ】本開示の様々な態様による、ＡＰ上で実装されるワイヤレス通信の例示的な方法のフローチャート。
【図３Ａ】[0014]本開示の様々な態様による、ＳＴＡ上で実装されるワイヤレス通信の例示的な方法のフローチャート。
【図３Ｂ】本開示の様々な態様による、ＳＴＡ上で実装されるワイヤレス通信の例示的な方法のフローチャート。
【図４】[0015]本開示の様々な態様による、ワイヤレス通信システム内で採用され得るＡＰのハードウェア実装形態を示す図。
【図５】[0016]本開示の様々な態様による、ワイヤレス通信システム内で採用され得るＳＴＡのハードウェア実装形態を示す図。
【図６】[0017]ＴＸＯＰの関数としての例示的なＲＴＳ／ＣＴＳオーバーヘッドを示すチャート。
【図７】[0018]本開示の様々な態様による、制御情報要素（ＩＥ）を示すブロック図。
【図８Ａ】[0019]本開示の様々な態様による、ＡＰ上で実装されるワイヤレス通信の別の例示的な方法のフローチャート。
【図８Ｂ】[0020]本開示の様々な態様による、ＳＴＡ上で実装されるワイヤレス通信の別の例示的な方法のフローチャート。
【図９Ａ】[0021]本開示の様々な態様による、ＡＰ上で実装されるワイヤレス通信の例示的な方法のフローチャート。
【図９Ｂ】[0022]本開示の様々な態様による、ＳＴＡ上で実装されるワイヤレス通信の例示的な方法のフローチャート。
【発明を実施するための形態】
【００１３】
[0023]添付の図面を参照しながら様々な概念が以下でより十分に説明される。ただし、これらの概念は、当業者によって多くの異なる形態で実施され得、本明細書で提示されるいずれかの特定の構造または機能に限定されるものと解釈されるべきではない。むしろ、これらの概念は、本開示が周到で完全になり、当業者にこれらの概念の範囲を十分に伝えるように与えられる。発明を実施するための形態は具体的な詳細を含み得る。ただし、これらの概念はこれらの具体的な詳細なしに実施され得ることが当業者には明らかであろう。
【００１４】
[0024]上記で説明されたように、ワイヤレスネットワーク技術は、様々なタイプのＷＬＡＮを含み得る。ＷＬＡＮは、広く使用されるネットワーキングプロトコルを採用して、近接デバイスを互いに相互接続するために使用され得る。いくつかのＷＬＡＮネットワーク展開は、高密度である（たとえば、複数のＡＰのカバレージエリア内に展開された多数のＳＴＡを有する）ことがあり、このことは、チャネルまたは媒体使用に関係する問題を生じ得る。本明細書で説明される様々な態様は、ＷｉＦｉ（登録商標）、またはより一般的には、ワイヤレスプロトコルのＩＥＥＥ８０２．１１ファミリーの任意のメンバーなど、任意の通信規格に適用され得る。
【００１５】
[0025]いくつかの態様では、局およびＡＰなど、ワイヤレスノードまたはデバイスが、８０２．１１ａｈ規格に準拠するネットワークなど、キャリア検知多重アクセス（ＣＳＭＡ：Carrier Sense Multiple Access）タイプネットワークにおいて対話し得る。ＣＳＭＡは確率的メディアアクセス制御（ＭＡＣ）プロトコルである。「キャリア検知」は、チャネル上で送信することを試みるワイヤレスデバイスが、それ自体の送信を送ることを試みる前に搬送波を検出するために、それの受信機からのフィードバックを使用し得ることを表す。「多重アクセス」は、複数のワイヤレスデバイスが共有チャネル上で送信および受信し得ることを表す。したがって、ＣＳＭＡタイプネットワークでは、送信ワイヤレスデバイスがチャネルを検知し、チャネルがビジーである（すなわち、別のワイヤレスデバイスがチャネル上で送信している）場合、送信ワイヤレスデバイスはそれの送信を後の時間に延期することになる。しかしながら、チャネルが空いているとして検知された場合、送信ワイヤレスデバイスはチャネル上でそれのデータを送信し得る。
【００１６】
[0026]ワイヤレスデバイスがその上で送信することを試みる前にチャネルの状態を決定するために、クリアチャネルアセスメント（ＣＣＡ：Clear Channel Assessment）が使用される。ＣＣＡプロシージャは、ワイヤレスデバイスの受信機がオンにされ、ワイヤレスデバイスがパケットなどのデータユニットを現在送信していない間に実行される。ワイヤレスデバイスは、たとえば、パケットのＰＨＹプリアンブルを検出することによってパケットの開始を検出することによって、チャネルがクリアであるかどうかを検知し得る。この方法は比較的弱い信号を検出し得る。したがって、この方法では低い検出しきい値がある。代替方法は空気中の何らかのエネルギーを検出することであり、これはエネルギー検出（ＥＤ：energy detection）と呼ばれることがある。この方法は、パケットの開始を検出することよりも比較的困難であり、比較的より強い信号のみを検出し得る。したがって、この方法ではより高い検出しきい値がある。概して、チャネル上の別の送信の検出は送信の受信電力の関数であり、ここで、受信電力は、送信電力−経路損失である。
【００１７】
[0027]本明細書で開示されるように、他のＣＳＭＡ送信アーキテクチャが採用され得る。ＲＴＳ／ＣＴＳは、局（ＳＴＡ）によって確立された条件に依拠する以下で説明される１つのプロトコルである。ＲＴＳ／ＣＴＳは、データ衝突を低減するために、８０２．１１ａｈなど、ＣＳＭＡ環境において使用される随意の機構またはプロトコルである。しばしば、データ衝突は、「隠れノード」と呼ばれる「隠れた」ワイヤレスデバイスの結果である。このコンテキストにおける隠れノードまたはワイヤレスデバイスは、送信ワイヤレスデバイスの範囲外にあるが受信機の範囲内にあるワイヤレスデバイスを指す。「要求」メッセージおよび「許可」メッセージは、隠れノード問題の大部分を緩和する。
【００１８】
[0028]特に、ＣＳＭＡ環境では、ＲＴＳ／ＣＴＳは、ＣＳＭＡ／ＣＡ（キャリア検知多重アクセス／衝突回避）において実装される仮想キャリア検知のための方法として機能する。データを送ることを意図するワイヤレスデバイス（送信機デバイス）が、データを送信するという意図を示す、１つ（ユニキャスト）または複数（マルチキャスト、ブロードキャスト）のワイヤレスデバイスへのＲＴＳフレームを開始する。（１つまたは複数の）受信デバイスまたは受信機デバイスは、それが送信を受信する準備ができていることを示すＣＴＳフレームで返答する。いくつかの事例では、ＲＴＳフレームは、ダウンリンク（ＤＬ）送信中で与えられるそれぞれのＣＴＳフレーム応答とともにアップリンク（ＵＬ）送信の一部として送られる。他の事例では、ＣＴＳフレームは、ＤＬ送信中で与えられたそれぞれのＲＴＳフレームに応答するＵＬ送信の一部として送られる。ＲＴＳ／ＣＴＳフレームはまた、フレームを受信する他のワイヤレスデバイスが媒体にアクセスすることを試みるべきでない時間期間に関する情報を含む。
【００１９】
[0029]本開示のいくつかの態様では、ＲＴＳ／ＣＴＳは、所定のしきい値によって規定された状況下で実装され得る。例示的な所定のしきい値は、ＲＴＳ／ＣＴＳプロトコルが実装される前の最小パケットサイズを示し得る。いくつかの状況では、ＳＴＡは、パケットがそのようなしきい値を超えたときにＲＴＳ／ＣＴＳプロトコルを実装し、パケットサイズがしきい値よりも小さいときにＲＴＳ／ＣＴＳプロトコルを無効化し得る。本開示の態様によれば、ＲＴＳ／ＣＴＳのよりフレキシブルな実装形態を可能にするアーキテクチャにおいて、より高い効率が実現され、データ衝突が低減され得る。たとえば、適応型であるか、または１つまたは複数の条件（たとえば、ワイヤレスリンク条件あるいはＳＴＡまたはＡＰによって実現された条件）に基づいて設定されたＲＴＳ／ＣＴＳ実装のためのしきい値またはルールが、より高い伝送効率を与え、データ衝突を低減し得る。
【００２０】
[0030]したがって、本開示のいくつかの態様では、ＡＰは、ＲＴＳ／ＣＴＳプロトコルに関連付けられたＵＬ送信の１つまたは複数のフレームタイプと、ＳＴＡが１つまたは複数のフレームタイプを使用するための１つまたは複数の条件とを識別することによって、１つまたは複数のＳＴＡを構成し得る。１つまたは複数のフレームタイプは、限定はしないが、レガシーＲＴＳ／ＣＴＳ（たとえば、制御としてのフレームタイプおよびＲＴＳ／ＣＴＳとしてのサブタイプ）と、制御ラッパーが、現在の規格に記載されている高スループット（ＨＴ）制御フィールド、または現在の規格への将来の変更に加えて、レガシーＲＴＳ／ＣＴＳのコンテンツを含んでいる、制御ラッパーフレームタイプにおけるレガシーＲＴＳ／ＣＴＳと、レガシーＲＴＳ／ＣＴＳのコンテンツが、新しい情報を搬送するように再定義される（たとえば、レガシーＣＴＳのＭＡＣアドレスフィールド中の１つまたは複数のビットは、ノードが、より良い媒体再利用などのためにＯＢＳＳフレームをドロップするのを助けるためにＢＳＳ識別子を搬送するように再定義され得る）変更されたレガシーＲＴＳ／ＣＴＳと、指向性マルチギガビット（ＤＭＧ：directional multi-gigabit）ＣＴＳと、制御ラッパーフレームタイプにおけるＤＭＧ  ＣＴＳと、変更されたＤＭＧ  ＣＴＳと、新しい制御フレームサブタイプをもつＲＴＳ／ＣＴＳと、マルチユーザ動作のためのＲＴＳ／ＣＴＳとを含み得る。追加または代替として、各ＲＴＳ／ＣＴＳフレームタイプは、異なる延期ルールを提供し得る。たとえば、レガシーＲＴＳ／ＣＴＳが任意の時間において延期され得、ＢＳ識別子をもつ新しい制御フレームサブタイプにおけるＲＴＳ／ＣＴＳが、ＯＢＳＳノードによってドロップされ得る。その結果、本開示の態様によれば、ＡＰは、ＳＴＡおよび／またはＡＰにおいて観測された１つまたは複数の条件に基づいて、異なるＵＬ  ＲＴＳ／ＣＴＳフレームタイプを利用するようにワイヤレスネットワークにおける１つまたは複数のＳＴＡを構成し得る（たとえば、ＳＴＡがセルエッジにある場合、ＡＰは、レガシーＲＴＳ／ＣＴＳを利用するようにＳＴＡを構成し得る）。いくつかの態様では、ＡＰは、改善された性能（たとえば、媒体再利用、リンク適応、スケジューリングなど）を達成するために、ＵＬ  ＲＴＳ／ＣＴＳメッセージ中に追加情報を含めるようにＳＴＡを構成し得る。
【００２１】
[0031]図１Ａは、本明細書で説明される様々な技法に関するワイヤレスローカルエリアネットワーク（ＷＬＡＮ）展開の一例を示す概念図１０２である。ＷＬＡＮは、１つまたは複数のアクセスポイント（ＡＰ）と、それぞれのＡＰに関連付けられた１つまたは複数の移動局（ＳＴＡ）とを含み得る。この例では、展開された２つのＡＰ、すなわち、基本サービスセット１（ＢＳＳ１）中のＡＰ１  １０５−ａと、ＯＢＳＳと呼ばれることがあるＢＳＳ２中のＡＰ２  １０５−ｂとがある。ＡＰ１  １０５−ａは、少なくとも３つの関連付けられたＳＴＡ（ＳＴＡ１  １１５−ａ、ＳＴＡ２  １１５−ｂ、およびＳＴＡ３  １１５−ｃ）とカバレージエリア１１０−ａとを有するものとして示されており、ＡＰ２  １０５−ｂは、１つの関連付けられたＳＴＡ４  １１５−ｄ）とカバレージエリア１１０−ｂとを有する示されている。特定のＢＳＳに関連付けられたＳＴＡ１１５およびＡＰ１０５は、そのＢＳＳのメンバーと呼ばれることがある。図１の例では、ＡＰ１  １０５−ａのカバレージエリアは、ＳＴＡ１  １１５−ａがカバレージエリアの重複部分内にあり得るように、ＡＰ２  １０５−ｂのカバレージエリアの一部と重複し得る。図１のＷＬＡＮ展開に関して説明されるＢＳＳ、ＡＰ、およびＳＴＡの数、ならびにＡＰのカバレージエリアは、限定としてではなく例として与えられる。
【００２２】
[0032]いくつかの例では、図１に示されているＡＰ（たとえば、ＡＰ１  １０５−ａおよびＡＰ２  １０５−ｂ）は、概して、それのカバレージエリアまたは領域内のＳＴＡ１１５にバックホールサービスを与える固定端末である。しかしながら、いくつかの適用例では、ＡＰはモバイルまたは非固定端末であり得る。固定、非固定、またはモバイル端末であり得る、図１に示されているＳＴＡ（たとえば、ＳＴＡ１  １１５−ａ、ＳＴＡ２  １１５−ｂ、ＳＴＡ３  １１５−ｃ、ＳＴＡ４  １１５−ｄ）は、インターネットなどのネットワークに接続するために、それらのそれぞれのＡＰのバックホールサービスを利用する。ＳＴＡの例としては、限定はしないが、セルラーフォン、スマートフォン、ラップトップコンピュータ、デスクトップコンピュータ、携帯情報端末（ＰＤＡ）、パーソナル通信システム（ＰＣＳ）デバイス、個人情報マネージャ（ＰＩＭ）、パーソナルナビゲーションデバイス（ＰＮＤ）、全地球測位システム、マルチメディアデバイス、ビデオデバイス、オーディオデバイス、モノのインターネット（ＩｏＴ：Internet-of-Things）のためのデバイス、またはＡＰのバックホールサービスを必要とする他の好適なワイヤレス装置がある。ＳＴＡは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス局、リモート端末、ハンドセット、ユーザエージェント、モバイルクライアント、クライアント、ユーザ機器（ＵＥ）、または何らかの他の好適な用語で呼ばれることもある。ＡＰは、基地局、基地トランシーバ局、無線基地局、無線トランシーバ、トランシーバ機能、または他の好適な用語で呼ばれることもある。本開示全体にわたって説明される様々な概念は、ワイヤレス装置の固有の名称にかかわらず、すべての好適なワイヤレス装置に適用されるものとする。
【００２３】
[0033]ＳＴＡ１  １１５−ａ、ＳＴＡ２  １１５−ｂ、ＳＴＡ３  １１５−ｃ、およびＳＴＡ４  １１５−ｄの各々は、プロトコルスタックを用いて実装され得る。プロトコルスタックは、ワイヤレスチャネルの物理および電気仕様書に従ってデータを送信および受信するための物理レイヤと、ワイヤレスチャネルへのアクセスを管理するためのデータリンクレイヤと、ソース宛先間データ転送を管理するためのネットワークレイヤと、エンドユーザ間のデータの透過的な転送を管理するためのトランスポートレイヤと、ネットワークへの接続を確立またはサポートするために必要なまたは望ましい他のレイヤとを含むことができる。
【００２４】
[0034]ＡＰ１  １０５−ａおよびＡＰ２  １０５−ｂの各々は、関連付けられたＳＴＡが通信リンク１２５を介してネットワークに接続することを可能にするためのソフトウェアアプリケーションおよび／または回路を含むことができる。ＡＰは、データおよび／または制御情報（たとえば、シグナリング）を通信するために、それらのそれぞれのＳＴＡにフレームまたはパケットを送り、それらのそれぞれのＳＴＡからフレームまたはパケットを受信することができる。
【００２５】
[0035]ＡＰ１  １０５−ａおよびＡＰ２  １０５−ｂの各々は、ＡＰのカバレージエリア内にあるＳＴＡとの通信リンク１２５を確立することができる。通信リンク１２５は、アップリンク通信とダウンリンク通信の両方を可能にすることができる通信チャネルを備えることができる。ＡＰに接続するとき、ＳＴＡは、最初にＡＰを用いてそれ自体を認証し、次いでそれ自体をＡＰに関連付けることができる。関連付けられると、ＡＰ１０５と関連付けられたＳＴＡ１１５とが、直接通信リンク１２５を通してフレームまたはメッセージを交換し得るように、ＡＰ１０５とＳＴＡ１１５との間で通信リンク１２５が確立され得る。いくつかの例では、ワイヤレス通信システムは、中央ＡＰ（たとえば、ＡＰ１０５）を有しないことがあり、むしろ、ＳＴＡ（たとえば、通信リンク１２６を介したＳＴＡ２  １１５−ｂおよびＳＴＡ３  １１５−ｃ）間のピアツーピアネットワークとして機能し得ることに留意されたい。したがって、本明細書で説明されるＡＰ１０５の機能は、代替的に、ＳＴＡ１１５のうちの１つまたは複数によって実行され得る。
【００２６】
[0036]本開示の態様は、ＷＬＡＮ展開、またはＩＥＥＥ８０２．１１準拠ネットワークの使用に関して説明されるが、当業者は、本開示全体にわたって説明される様々な態様が、例として、ＢＬＵＥＴＯＯＴＨ（登録商標）（Ｂｌｕｅｔｏｏｔｈ（登録商標））、ＨｉｐｅｒＬＡＮ（欧州において主に使用される、ＩＥＥＥ８０２．１１規格に匹敵するワイヤレス規格のセット）、およびワイドエリアネットワーク（ＷＡＮ）、ＷＬＡＮ、パーソナルエリアネットワーク（ＰＡＮ）、あるいは現在知られているかまたは後で開発される他の好適なネットワークにおいて使用される他の技術を含む、様々な規格またはプロトコルを採用する他のネットワークに拡張され得ることを容易に諒解されよう。したがって、動的感度制御への変更および拡張に基づいて動作を実行するための、本開示全体にわたって提示される様々な態様は、利用されるカバレージ範囲およびワイヤレスアクセスプロトコルにかかわらず、任意の好適なワイヤレスネットワークに適用可能であり得る。
【００２７】
[0037]いくつかの態様では、１つまたは複数のＡＰ（１０５−ａおよび１０５−ｂ）は、ワイヤレス通信システムの（１つまたは複数の）ＳＴＡ１１５への通信リンク１２５を介して、ビーコン信号（または単に「ビーコン」）を、１つまたは複数のチャネル（たとえば、各チャネルが周波数帯域幅を含む、複数の狭帯域チャネル）上で送信し得、ビーコン信号は、（１つまたは複数の）ＳＴＡ１１５がそれらのタイミングをＡＰ１０５と同期させるのを助け得るか、あるいは他の情報または機能を与え得る。そのようなビーコンは周期的に送信され得る。一態様では、連続送信間の期間はスーパーフレームと呼ばれることがある。ビーコンの送信は、いくつかのグループまたは間隔に分割され得る。一態様では、ビーコンは、限定はしないが、共通クロックを設定するためのタイムスタンプ情報、ピアツーピアネットワーク識別子、デバイス識別子、能力情報、スーパーフレーム持続時間、送信方向情報、受信方向情報、ネイバーリスト、および／または拡張ネイバーリストなどの情報を含み得、それらのうちのいくつかが以下でさらに詳細に説明される。したがって、ビーコンは、いくつかのデバイスの間で共通である（たとえば、共有される）とともに所与のデバイスに固有である、情報を含み得る。
【００２８】
[0038]一態様では、デバイス（たとえば、ＡＰ１０５および／またはＳＴＡ１１５）は、本開示で説明される様々な機能を実行するための１つまたは複数の構成要素を含み得る。たとえば、デバイス（たとえば、ＡＰ１０５および／またはＳＴＡ１１５）は、ＲＴＳ／ＣＴＳプロトコルに関連付けられた１つまたは複数のＵＬフレームタイプのうちのどれを１つまたは複数の条件のうちのどれの下で使用すべきかを識別することによって、ＳＴＡを構成することに関係するプロシージャを実行するための通信管理構成要素４０５（図示せず、たとえば、図４参照）を含み得る。その上、通信管理構成要素４０５は、ＲＴＳ／ＣＴＳプロトコルに関連付けられたＵＬ送信のためのフレームタイプのうちの各々１つまたは複数について、ＲＴＳ／ＣＴＳメッセージ中に含まれるべき情報の異なるタイプを識別し得る。いくつかの例では、通信管理構成要素４０５は、ＳＴＡが１つまたは複数のフレームタイプの各々を送信するための１つまたは複数の送信パラメータ値をも識別し得る。（１つまたは複数の）送信パラメータは、限定はしないが、変調およびコーディング方式（ＭＣＳ）インデックス値、帯域幅、空間ストリームの数（ＮＳＳ）、送信電力、拡張分散チャネルアクセス（ＥＤＣＡ）パラメータ、および／またはエネルギー検出しきい値を含む、ＵＬ  ＲＴＳ／ＣＴＳプロトコルフレームを送信する際にＳＴＡによって適用される送信考慮事項であり得る。またさらなる例では、ＡＰ１０５は、ＳＴＡ１１５におけるＲＴＳ／ＣＴＳプロトコルのＵＬ送信を無効化するための１つまたは複数の条件をも識別し得る。たとえば、送信オーバーヘッドパラメータが所定のオーバーヘッドしきい値よりも小さい（すなわち、ＵＬパケットを送信するためのオーバーヘッドが、ＲＴＳ／ＣＴＳプロトコルメッセージを送信するために必要とされるオーバーヘッドよりも小さい）場合、ＡＰ１０５は、ＲＴＳ／ＣＴＳプロトコルのＵＬ送信を無効化するようにＳＴＡ１１５を構成し得る。たとえば、ＲＴＳ／ＣＴＳフレーム持続時間がＴＸＯＰ持続時間の１０％よりも大きい場合、本開示の態様は、ＲＴＳ／ＣＴＳプロトコルのＵＬ送信を無効化するように構成され得る。別の例では、ＲＴＳ／ＣＴＳフレーム持続時間がＴＸＯＰ持続時間の５０％よりも大きい場合、本開示の態様は、ＲＴＳ／ＣＴＳプロトコルのＵＬ送信を無効化するように構成され得る。
【００２９】
[0039]例として、上述のように、高密度ネットワークにおいてアップリンクメッセージを送信する複数のＳＴＡ１１５間のデータ衝突を低減するために、ＲＴＳ／ＣＴＳプロトコルメッセージが使用され得る。詳細には、データを送ることを意図するＳＴＡ１１５は、データを送信するという意図を示す、１つ（ユニキャスト）または複数（マルチキャスト、ブロードキャスト）のワイヤレスデバイス（たとえば、他のＳＴＡ１１５）へのＲＴＳフレームを開始する。（１つまたは複数の）受信ＳＴＡ１１５は、それが送信を受信する準備ができていることを示すＣＴＳフレームで返答する。ＲＴＳ／ＣＴＳフレームはまた、フレームを受信する他のワイヤレスデバイスが媒体にアクセスすることを試みるべきでない時間期間に関する情報を含む。しかしながら、性能を改善するために、本開示の態様は、ＡＰ１０５が、変動する条件に基づいて、異なるＵＬフレームタイプを使用するように１つまたは複数のＳＴＡを構成することを可能にする。たとえば、ＡＰ１  １０５−ａは、レガシーＵＬ  ＲＴＳ／ＣＴＳフレームタイプを使用するようにカバレージエリア１１０−ａのエッジにあるＳＴＡ１  １１５−ａを構成し、変更されたレガシーＵＬ  ＲＴＳ／ＣＴＳフレームタイプを利用するようにＡＰ  １０５−ａのより近くにあるＳＴＡ２  １１５−ｂを構成し得る。いくつかの事例では、ＲＴＳフレームは、ダウンリンク（ＤＬ）送信中で与えられるそれぞれのＣＴＳフレーム応答とともにアップリンク（ＵＬ）送信の一部として送られる。他の事例では、ＣＴＳフレームは、ＤＬ送信中で与えられたそれぞれのＲＴＳフレームに応答するＵＬ送信の一部として送られる。
【００３０】
[0040]いくつかの態様では、１つまたは複数のＳＴＡ１１５を構成することは、ＡＰ１０５から（１つまたは複数の）ＳＴＡ１１５に構成メッセージを送信することを含み得る。１つまたは複数の例では、ＡＰ１０５は、異なる（１つまたは複数の）ＳＴＡ１１５に異なる構成を送信し得る。構成メッセージは、１つまたは複数のフレームタイプと、ＳＴＡが１つまたは複数のフレームタイプを使用するための１つまたは複数の条件とを示す構成情報を含み得る。いくつかの例では、構成メッセージ中の１つまたは複数のフレームタイプは、ＵＬ  ＲＴＳフレームタイプ、ＵＬ  ＣＴＳフレームタイプ、またはその両方を含み得る。追加または代替として、構成メッセージ中の１つまたは複数の条件は、少なくとも、ＵＬ  ＲＴＳフレームタイプを使用するための第１の条件、少なくとも、ＵＬ  ＣＴＳフレームタイプを使用するための第２の条件、またはその両方を含み得る。
【００３１】
[0041]（１つまたは複数の）ＳＴＡ１１５は、１つまたは複数のフレームタイプと、ＳＴＡが１つまたは複数のフレームタイプを使用するための１つまたは複数の条件とを示す構成情報を含む構成メッセージをＡＰ１０５から受信すると、構成メッセージ中で与えられた構成情報に基づいてそれ自体を構成し得る。詳細には、いくつかの態様では、ＳＴＡ１１５は、ＲＴＳ／ＣＴＳフレームタイプを更新し、ＡＰ１０５から受信された構成情報に基づいて１つまたは複数のＲＴＳ／ＣＴＳパラメータ値を修正し得る。いくつかの態様では、ＡＰ１  １０５−ａは、たとえば、ＳＴＡごとにＳＴＡ１１５（たとえば、ＳＴＡ１  １１５−ａ、ＳＴＡ２  １１５−ｂ、およびＳＴＡ３  １１５−ｃ）の各々を構成し得る。したがって、ＡＰ１  １０５−ａは、ＵＬ送信のために、１つまたは複数の第１のフレームタイプに関連付けられた情報を含む第１の構成メッセージを第１のＳＴＡ１  １１５−ａに送信し、第２のＳＴＡ２  １１５−ｂのための１つまたは複数の第２のフレームタイプに関連付けられた情報を含む第２の構成メッセージを送信し得る。いくつかの例では、第２のＳＴＡ２  １１５−ｂのための１つまたは複数の第２のフレームタイプは、第１のＳＴＡ１  １１５−ａのためのＵＬ送信に関連付けられたＲＴＳ／ＣＴＳプロトコルと同じまたは異なるＲＴＳ／ＣＴＳプロトコルであり得る。
【００３２】
[0042]図１Ｂは、本明細書で説明される様々な技法に関するワイヤレスローカルエリアネットワーク（ＷＬＡＮ）展開の一例を示す概念図１０４である。図１０４は、図１Ａに関して説明された１つまたは複数のＳＴＡ１１５を含み得る。
【００３３】
[0043]１つまたは複数の例では、（１つまたは複数の）ＳＴＡ１１５はＡＰ１０５から構成メッセージを受信し得る。構成メッセージは、１つまたは複数のフレームタイプと、ＳＴＡが１つまたは複数のフレームタイプを使用するための１つまたは複数の条件と、ＳＴＡが１つまたは複数のフレームタイプを用いて送信するための１つまたは複数の送信パラメータ値とを示す構成情報を含み得る。いくつかの例では、構成メッセージ中の１つまたは複数のフレームタイプは、ＵＬ  ＲＴＳフレームタイプ、ＵＬ  ＣＴＳフレームタイプ、またはその両方を含み得る。１つまたは複数の例では、（１つまたは複数の）送信パラメータは、限定はしないが、変調およびコーディング方式（ＭＣＳ）インデックス値、帯域幅、空間ストリームの数（ＮＳＳ）、送信電力、拡張分散チャネルアクセス（ＥＤＣＡ）パラメータ、パケット検出しきい値、および／またはエネルギー検出しきい値を含む、ＵＬ  ＲＴＳ／ＣＴＳプロトコルフレームを送信する際にＳＴＡによって適用される送信考慮事項であり得る。
【００３４】
[0044]したがって、ＡＰ１０５から構成情報を受信すると、１つまたは複数のＳＴＡ１１５は、ＲＴＳ／ＣＴＳプロトコルに関連付けられたアップリンク送信を変更し得る。たとえば、ＳＴＡ２  １１５−ｂは、構成メッセージ中で受信された構成情報に基づいて、ＲＴＳ／ＣＴＳプロトコルに関連付けられたパラメータ値を更新または変更すると、データ送信を開始するより前に、ＳＴＡ３  １１５−ｃにＵＬ  ＲＴＳフレーム１３２を送信し得る。ＵＬ  ＲＴＳフレーム１３２は、ＡＰによって複数のフレームタイプから識別された１つまたは複数のフレームタイプに基づいて選択され得る。追加または代替として、ＵＬ  ＲＴＳフレーム１３２は、ＡＰ１０５によって構成情報中で識別された送信パラメータ値を利用して送信され得る。応答して、ＳＴＡ２  １１５−ｂは、ＳＴＡ３  １１５−ｃが、データ送信を受信するために利用可能であるかどうかを示すＤＬ  ＣＴＳフレーム１３４を受信し得る。
【００３５】
[0045]追加または代替として、ＳＴＡ２  １１５−ｂはまた、ＳＴＡ１  １１５−ａからＤＬ  ＲＴＳ１３６メッセージを受信したことに応答して、本開示の態様によるＵＬ  ＣＴＳフレーム１３８を送信し得る。ＵＬ  ＣＴＳフレーム１３８構造は、ＡＰ１０５によって複数のフレームタイプから識別された１つまたは複数のフレームタイプに基づき得る。いくつかの態様では、ＵＬ  ＣＴＳフレーム１３８は、さらに、ＡＰ１０５によって識別された送信パラメータ値（たとえば、送信電力）を利用して送信され得る。
【００３６】
[0046]図２Ａは、本開示の態様による、ワイヤレス通信の方法２０２の一例を概念的に示すフローチャートである。明快のために、方法２０２は、図１および図４を参照しながら説明されるＡＰ１０５に関して以下で説明される。
【００３７】
[0047]２０５において、方法２０２は、ＡＰにおいて、ＲＴＳ／ＣＴＳプロトコルに関連付けられたＵＬ送信のための１つまたは複数のフレームタイプを識別することを含み得、１つまたは複数のフレームタイプは、ＵＬ送信のためにＳＴＡによってサポートされる複数のフレームタイプから識別される。いくつかの例では、１つまたは複数のフレームタイプは、限定はしないが、レガシーＲＴＳ／ＣＴＳと、制御ラッパーがレガシーＲＴＳ／ＣＴＳのコンテンツを含んでいる、制御ラッパーフレーム中にラッピングされたレガシーＲＴＳ／ＣＴＳと、新しい情報を搬送するように再定義された１つまたは複数のビットをもつ変更されたレガシーＲＴＳ／ＣＴＳとを含み得る。１つまたは複数のフレームタイプは、指向性マルチギガビット（ＤＭＧ）ＣＴＳフレームタイプ、制御ラッパーフレーム中にラッピングされたＤＭＧ  ＣＴＳ、新しい情報を搬送するように再定義された１つまたは複数のビットをもつＤＭＧ  ＣＴＳ、高度な定義された制御フレームサブタイプをもつＲＴＳ／ＣＴＳ、またはマルチユーザ動作のためのＲＴＳ／ＣＴＳをさらに含み得る。２０５の態様は、図４を参照しながら説明されるＲＴＳ／ＣＴＳプロトコルフレームタイプ識別子４１０によって実行され得る。
【００３８】
[0048]２１０において、方法２０２は、ＳＴＡに構成メッセージを送信することを含み得る。構成メッセージは、１つまたは複数のフレームタイプと、ＳＴＡが１つまたは複数のフレームタイプを使用するための１つまたは複数の条件と、ＳＴＡが１つまたは複数のフレームタイプ中に含めるための情報の１つまたは複数のタイプと、ＳＴＡが１つまたは複数のフレームタイプを用いて送信するための１つまたは複数の送信パラメータ値とを示す構成情報を含み得る。（１つまたは複数の）送信パラメータは、限定はしないが、ＭＣＳインデックス値、帯域幅、ＮＳＳ、送信電力、ＥＤＣＡパラメータ、および／またはエネルギー検出しきい値を含む、ＵＬ  ＲＴＳ／ＣＴＳプロトコルフレームを送信する際にＳＴＡによって適用される送信考慮事項であり得る。いくつかの例では、構成メッセージ中の１つまたは複数のフレームタイプは、ＵＬ  ＲＴＳフレームタイプ、ＵＬ  ＣＴＳフレームタイプ、またはその両方を含む。追加または代替として、構成メッセージ中の１つまたは複数の条件は、少なくとも、ＵＬ  ＲＴＳフレームタイプを使用するための第１の条件、少なくとも、ＵＬ  ＣＴＳフレームタイプを使用するための第２の条件、またはその両方を含む。いくつかの例では、構成メッセージは、ＡＰ１０５から送信されたフレーム（たとえば、管理フレームまたはビーコンフレーム）の１つまたは複数の情報要素（ＩＥ）中に含まれ得る。ＡＰ１０５は、１つまたは複数のＩＥを有するフレームを（１つまたは複数の）ターゲットデバイス（たとえば、ＳＴＡ１１５）にブロードキャスト、マルチキャスト、またはユニキャストし得る。２１０の態様は、図４を参照しながら説明されるＳＴＡ構成構成要素４２０およびトランシーバ４０２によって実行され得る。いくつかの態様では、１つまたは複数のフレームタイプ中に含まれる情報のタイプは、ＳＴＡによる空間再利用のための情報、バッファステータスのための情報、リンク適応のための情報、マルチユーザＲＴＳ／ＣＴＳ動作のための情報、動作モードのための情報、ＴＸＯＰ拡張のための情報、または電力節約のための情報のうちの少なくとも１つまたは複数のタイプを含んでいる。
【００３９】
[0049]１つまたは複数の例では、構成メッセージ中の１つまたは複数のフレームタイプは、第１のフレームタイプとは異なる第２のフレームタイプに応答するために、ＵＬ  ＣＴＳフレームタイプとして使用するための（上記で識別された複数のフレームタイプのうちの１つから選択され、ＳＴＡによってサポートされる）第１のフレームタイプを含み得る。たとえば、（１つまたは複数の）ＳＴＡは、応答ＳＴＡが、レガシーＲＴＳを受信したことに応答してレガシーＣＴＳで応答し得るように構成され得る。逆に、他の例では、ＳＴＡは、新しい制御フレームサブタイプをもつＲＴＳを受信したことに応答して、新しい制御フレームサブタイプをもつＣＴＳを送信し得る。
【００４０】
[0050]またさらなる例では、構成メッセージ中の１つまたは複数のフレームタイプは、ＯＢＳＳノードによって延期されるように構成されたＵＬ  ＲＴＳフレームタイプを含み得る。したがって、いくつかの態様では、ＳＴＡ１  １１５−ａ（図１参照）によって送信されたＵＬ  ＲＴＳフレームを聞き得るＯＢＳＳノード（たとえば、図１中のＳＴＡ４  １１５−ｄ）が、対応するＣＴＳメッセージで応答することなしにＲＴＳメッセージを延期またはドロップし得る。
【００４１】
[0051]いくつかの態様では、ＳＴＡ構成構成要素４２０は、ＵＬ  ＲＴＳフレームを使用することに関連付けられた以下の条件、すなわち、（ａ）受信信号強度指示（ＲＳＳＩ）がＲＳＳＩしきい値よりも小さい、（ｂ）変調およびコーディング方式（ＭＣＳ）インデックス値がＭＣＳしきい値よりも小さい、（ｃ）ＰＬＣＰプロトコルデータユニット（ＰＰＤＵ）持続時間がＰＰＤＵしきい値よりも大きい、（ｄ）送信機会（ＴＸＯＰ）がＴＸＯＰしきい値よりも大きい、（ｅ）ＰＬＣＰサービスデータユニット（ＰＳＤＵ）サイズがＰＳＤＵサイズしきい値よりも大きい、（ｆ）再送信数が再試行しきい値よりも大きい、（ｇ）パケット誤り率（ＰＥＲ）がＰＥＲしきい値よりも大きい、（ｈ）または利用可能帯域幅が帯域幅しきい値よりも大きい、のうちの少なくとも１つを含む構成メッセージ中の１つまたは複数の条件を識別し得る。したがって、いくつかの例では、ＡＰは、上記の識別された条件のうちのいずれか１つまたは複数がＳＴＡにおいて満たされた場合、レガシーＲＴＳを使用するようにＳＴＡを構成し得る。ＴＸＯＰおよびＴＸＯＰしきい値に関して、追加の態様が図６〜図８Ｂに関して以下で説明される。
【００４２】
[0052]またさらなる例では、構成メッセージ中の構成情報は、１つまたは複数のフレームタイプの各々中に含まれる情報のタイプをさらに示し得る。たとえば、１つまたは複数のフレームタイプのうちの第１のフレームタイプ中に含まれる情報のタイプは、（ａ）ＳＴＡによる空間再利用のための情報、（ｂ）バッファステータスのための情報、（ｃ）リンク適応のための情報、（ｄ）ＲＴＳ／ＣＴＳプロトコルを含むマルチユーザＲＴＳ／ＣＴＳプロトコルのための情報、（ｅ）動作モードのための情報、（ｆ）ＴＸＯＰ拡張のための情報、または（ｇ）電力節約のための情報のうちの少なくとも１つまたは複数を含んでいる。
【００４３】
[0053]いくつかの態様では、ＳＴＡによる空間再利用のための情報は、（ａ）フレーム送信側の送信電力、（ｂ）フレーム送信側における最大許容干渉、（ｃ）フレームドロッピングのためのＯＢＳＳノードを可能にするインジケータ、（ｄ）フレームドロッピングのためのＯＢＳＳノードのためのパケット検出レベル範囲、または（ｅ）ＳＴＡにＯＢＳＳフレームをドロップするように命令するためのインジケータのうちの最後に１つを含み得る。いくつかの態様では、ＡＰ１０５はまた、構成可能であり得るパラメータのための指定された値を利用するようにＳＴＡ１１５を構成し得る。たとえば、ＡＰ１０５は、−８０デシベルミリワット（ｄＢｍ）までの最大許容干渉値を利用するようにＳＴＡを構成し得、したがって、ＯＢＳＳノードは、ＲＴＳ／ＣＴＳ送信側に対する推定された干渉が−８０ｄＢｍよりも小さい場合、受信されたＲＴＳ／ＣＴＳをドロップし得る。他の例では、ＡＰ１０５は、ＯＢＳＳノードが、ＲＳＳＩが−７０ｄＢｍよりも小さくなる場合、受信されたＲＴＳ／ＣＴＳプロトコルメッセージをドロップし得るようにパケット検出レベル範囲を設定し得る。
【００４４】
[0054]いくつかの例では、ＳＴＡによるバッファステータスのための情報はフレーム送信側のバッファステータス（たとえば、バッファの合計サイズまたはキューイングされたＭＰＤＵの数）を含み得る。いくつかの態様では、バッファステータス情報は、合計またはキューごとに関する情報を含み得る。したがって、ＳＴＡ１１５がＲＴＳ／ＣＴＳプロトコルメッセージを送信するとき、ＳＴＡ１１５は、受信デバイスのためにそれのバッファステータスに関する情報をさらに含め得る。
【００４５】
[0055]同様に、リンク適応ＳＴＡのための情報は、（ａ）フレーム送信側におけるチャネル品質インジケータ（ＣＱＩ）、（ｂ）フレーム送信側における信号対干渉プラス雑音（ＳＩＮＲ）比、（ｃ）フレーム送信側における干渉レベル、（ｄ）応答フレームのための推奨ＭＣＳ、あるいは（ｅ）ＰＥＲ、遅延、再試行カウント、またはバスティ干渉発生のうちの１つまたは複数に関する統計値のうちの少なくとも１つを含み得る。
【００４６】
[0056]いくつかの態様では、マルチユーザＲＴＳ／ＣＴＳプロトコルのための情報は、共通スクランブリングシードを含み得る。したがって、ＡＰ１０５は、ＲＴＳ／ＣＴＳプロトコルメッセージを同時に送るとき、共通フレームタイプフォーマットを利用するようにマルチユーザＲＴＳ／ＣＴＳプロトコルモードで複数のＳＴＡ１１５の各々を構成し得る。
【００４７】
[0057]またさらなる例では、データ送信のための動作モードのための情報は、（ａ）変調およびコーディング方式（ＭＣＳ）インデックス値、（ｂ）帯域幅、（ｃ）ＮＳＳ、（ｄ）送信電力、（ｅ）肯定応答ポリシー、（ｆ）バースト的干渉に関するレート制御ポリシー、または（ｇ）拡張分散チャネルアクセス（ＥＤＣＡ）レベルのうちの少なくとも１つを含み得る。いくつかの態様では、ＳＴＡによるＴＸＯＰ拡張のための情報は、ＴＸＯＰ拡張要求／応答情報を含み得る。追加または代替として、ＳＴＡによる電力節約のための情報は、ＲＴＳ／ＣＴＳメッセージ中のスリープスケジュール要求／応答情報を含み得る。
【００４８】
[0058]図２Ｂは、本開示の別の態様による、ワイヤレス通信の方法２０４の一例を概念的に示すフローチャートである。明快のために、方法２０４は、図１および図４を参照しながら説明されるＡＰ１０５に関して以下で説明される。
【００４９】
[0059]２１５において、方法２０４は、ＡＰにおいて、ＡＰに関連付けられたＳＴＡにおけるＲＴＳ／ＣＴＳプロトコルのＵＬ送信を無効化するための１つまたは複数の条件を識別することを含み得る。ＵＬ送信を無効化するための条件は、ＳＴＡが１つまたは複数のフレームタイプを使用するための図２Ａに関して上記で説明された条件とは異なり得る。１つまたは複数の条件は、送信オーバーヘッドパラメータが所定のオーバーヘッドしきい値よりも小さいという条件を含み得る。いくつかの態様では、送信オーバーヘッドパラメータはＰＬＣＰプロトコルデータユニット（ＰＰＤＵ）持続時間であり得、所定のオーバーヘッドしきい値はＰＰＤＵしきい値であり得る。追加または代替として、送信オーバーヘッドパラメータは送信機会（ＴＸＯＰ）パラメータであり得、所定のオーバーヘッドしきい値はＴＸＯＰしきい値であり得る。
【００５０】
[0060]他の例では、１つまたは複数の条件は、リンク品質パラメータが所定のリンク品質しきい値よりも大きいという条件を含み得る。リンク品質パラメータはＲＳＳＩであり得、所定のリンク品質しきい値はＲＳＳＩしきい値である。追加または代替として、リンク品質パラメータはＭＣＳインデックス値であり得、所定のリンク品質しきい値はＲＳＳＩしきい値である。
【００５１】
[0061]いくつかの態様では、１つまたは複数の条件を識別することは、ＳＴＡにおけるＲＴＳ／ＣＴＳプロトコルのＵＬ送信をその中で無効化するための時間ウィンドウまたはチャネルを識別することを備え得る。したがって、（２２０における）構成メッセージは、ＲＴＳ／ＣＴＳプロトコルのＵＬ送信をその中で無効化するための時間ウィンドウまたはチャネルを示す構成情報を含み得る。
【００５２】
[0062]またさらなる例では、１つまたは複数の条件は、衝突パラメータが所定の衝突しきい値よりも小さいという条件を含み得る。たとえば、衝突パラメータはＰＥＲであり得、所定の衝突しきい値はＰＥＲしきい値であり得る。追加または代替として、衝突パラメータは再送信の数であり得、所定の衝突しきい値は再試行しきい値であり得る。
【００５３】
[0063]１つまたは複数の例では、１つまたは複数の条件を識別することは、ＳＴＡにおけるＲＴＳ／ＣＴＳプロトコルのＵＬ送信をそれについて無効化するためのパケットタイプまたはアクセスクラスを識別することを備え得る。したがって、構成メッセージは、ＳＴＡのパケットタイプまたはアクセスクラスを示す構成情報を含み得る。２１５の態様は、図４を参照しながら説明される条件識別構成要素４１５によって実行され得る。
【００５４】
[0064]図３Ａは、本開示の態様による、ワイヤレス通信の方法３００の一例を概念的に示すフローチャートである。明快のために、方法３０２は、図１および図５を参照しながら説明されるＳＴＡ１１５に関して以下で説明される。
【００５５】
[0065]３０５において、方法３００は、ＳＴＡにおいて、ＡＰから構成メッセージを受信することを含み得、構成メッセージは、１つまたは複数のフレームタイプと、ＳＴＡが１つまたは複数のフレームタイプを使用するための１つまたは複数の条件と、ＳＴＡが１つまたは複数のフレームタイプを用いて送信するための１つまたは複数の送信パラメータ値とを示す構成情報を含む。３０５の態様は、図５を参照しながら説明されるトランシーバ５０２によって実行され得る。
【００５６】
[0066]３１０において、方法３０４は、構成メッセージ中で与えられた構成情報に基づいてＳＴＡを構成することを含み得る。３０５の態様は、図５を参照しながら説明される構成構成要素５０５によって実行され得る。
【００５７】
[0067]図３Ｂは、本開示の態様による、ワイヤレス通信の方法３０４の一例を概念的に示すフローチャートである。明快のために、方法３０４は、図１および図５を参照しながら説明されるＳＴＡ１１５に関して以下で説明される。
【００５８】
[0068]３１５において、方法３０４は、ＳＴＡにおいて、ＡＰから構成メッセージを受信することを含み得、構成メッセージは、ＡＰに関連付けられたＳＴＡにおけるＲＴＳ／ＣＴＳプロトコルのＵＬ送信を無効化するための１つまたは複数の条件を示す構成情報を含む。３０５の態様は、図５を参照しながら説明されるトランシーバ５０２によって実行され得る。図３Ｂの態様は、ＳＴＡ１１５、メモリ５１６および／またはプロセッサ５１２、トランシーバ５０２、構成構成要素５０５、ＲＴＸ／ＣＴＸプロトコル構成要素５１０、ならびに／あるいはＴＸＯＰしきい値構成構成要素４２５によって実行され得る。
【００５９】
[0069]３２０において、方法３０４は、構成メッセージ中で与えられた構成情報に基づいてＳＴＡを構成することを含み得る。３２０の態様は、図５を参照しながら説明される構成構成要素５０５によって実行され得る。
【００６０】
[0070]図４は、本開示の様々な態様による、本明細書で説明される１つまたは複数の方法（たとえば、方法２０２、２０４、および８００）を実装するためのＡＰ１０５のハードウェア構成要素および副構成要素を表す。たとえば、ＡＰ１０５の実装形態の一例は様々な構成要素を含み得、それらのうちのいくつかは、上記ですでに説明されたが、１つまたは複数のバス４４４を介して通信している１つまたは複数のプロセッサ４１２およびメモリ４１６およびトランシーバ４０２などの構成要素を含み、それらは、本開示の１つまたは複数の方法を含めることに関係する本明細書で説明される機能のうちの１つまたは複数を可能にするように通信管理構成要素４０５とともに動作し得る。さらに、１つまたは複数のプロセッサ４１２、モデム４１４、メモリ４１６、トランシーバ４０２、ＲＦフロントエンド４８８、および１つまたは複数のアンテナ４６５は、１つまたは複数の無線アクセス技術において音声および／またはデータ呼を（同時にまたは非同時に）サポートするように構成され得る。
【００６１】
[0071]一態様では、１つまたは複数のプロセッサ４１２は、１つまたは複数のモデムプロセッサを使用するモデム４１４を含むことができる。通信管理構成要素４０５に関係する様々な機能は、モデム４１４および／またはプロセッサ４１２に含まれ得、一態様では、単一のプロセッサによって実行され得、他の態様では、それらの機能のうちの異なる機能は、２つまたはそれ以上の異なるプロセッサの組合せによって実行され得る。たとえば、一態様では、１つまたは複数のプロセッサ４１２は、トランシーバ４０２に関連付けられたモデムプロセッサ、またはベースバンドプロセッサ、またはデジタル信号プロセッサ、または送信プロセッサ、または受信機プロセッサ、またはトランシーバプロセッサのうちのいずれか１つまたは任意の組合せを含み得る。他の態様では、通信管理構成要素４０５に関連付けられた１つまたは複数のプロセッサ４１２および／またはモデム４１４の特徴のうちのいくつかは、トランシーバ４０２によって実行され得る。
【００６２】
[0072]また、メモリ４１６は、本明細書で使用されるデータ、ならびに／あるいは少なくとも１つのプロセッサ４１２によって実行されているアプリケーションのローカルバージョンまたは通信管理構成要素４０５および／またはそれの副構成要素のうちの１つまたは複数を記憶するように構成され得る。メモリ４１６は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータまたは少なくとも１つのプロセッサ４１２によって使用可能な任意のタイプのコンピュータ可読媒体を含むことができる。一態様では、たとえば、ＡＰ１０５が、通信管理構成要素４０５および／またはそれの副構成要素のうちの１つまたは複数を実行するように少なくとも１つのプロセッサ４１２を動作させているとき、メモリ４１６は、通信管理構成要素４０５および／またはそれの副構成要素のうちの１つまたは複数を定義する１つまたは複数のコンピュータ実行可能コード、および／またはそれに関連付けられたデータを記憶する非一時的コンピュータ可読記憶媒体であり得る。
【００６３】
[0073]トランシーバ４０２は、少なくとも１つの受信機４０６と少なくとも１つの送信機４０８とを含み得る。受信機４０６は、データを受信するためのプロセッサによって実行可能なハードウェア、ファームウェア、および／またはソフトウェアコードを含み得、コードは、命令を備え、メモリ（たとえば、コンピュータ可読媒体）に記憶される。受信機４０６は、たとえば、無線周波数（ＲＦ）受信機であり得る。一態様では、受信機４０６は、少なくとも１つのＳＴＡ１１５によって送信された信号を受信し得る。さらに、受信機４０６は、そのような受信された信号を処理し得、また、限定はしないが、Ｅｃ／Ｉｏ、ＳＮＲ、ＲＳＲＰ、ＲＳＳＩなど、信号の測定値を取得し得る。送信機４０８は、データを送信するためのプロセッサによって実行可能なハードウェア、ファームウェア、および／またはソフトウェアコードを含み得、コードは、命令を備え、メモリ（たとえば、コンピュータ可読媒体）に記憶される。トランシーバ４０２の好適な例は、限定はしないが、ＲＦ送信機を含み得る。
【００６４】
[0074]その上、一態様では、ＡＰ１０５はＲＦフロントエンド４８８を含み得、ＲＦフロントエンド４８８は、無線送信、たとえば、少なくとも１つのＳＴＡ１１５によって送信されたワイヤレス通信またはＡＰ１０５によって送信されたワイヤレス送信を、受信および送信するための１つまたは複数のアンテナ４６５およびトランシーバ４０２との通信において動作し得る。ＲＦフロントエンド４８８は、１つまたは複数のアンテナ４６５に接続され得、ＲＦ信号を送信および受信するための１つまたは複数の低雑音増幅器（ＬＮＡ）４９０と、１つまたは複数のスイッチ４９２と、１つまたは複数の電力増幅器（ＰＡ）４９８と、１つまたは複数のフィルタ４９６とを含むことができる。
【００６５】
[0075]一態様では、ＬＮＡ４９０は、所望の出力レベルにおいて受信信号を増幅することができる。一態様では、各ＬＮＡ４９０は、指定された最小および最大利得値を有し得る。一態様では、ＲＦフロントエンド４８８は、特定の適用例のための所望の利得値に基づいて特定のＬＮＡ４９０およびそれの指定された利得値を選択するために、１つまたは複数のスイッチ４９２を使用し得る。
【００６６】
[0076]さらに、たとえば、１つまたは複数のＰＡ４９８は、所望の出力電力レベルにおいてＲＦ出力のための信号を増幅するために、ＲＦフロントエンド４８８によって使用され得る。一態様では、各ＰＡ４９８は、指定された最小および最大利得値を有し得る。一態様では、ＲＦフロントエンド４８８は、特定の適用例のための所望の利得値に基づいて特定のＰＡ４９８およびそれの指定された利得値を選択するために、１つまたは複数のスイッチ４９２を使用し得る。
【００６７】
[0077]また、たとえば、１つまたは複数のフィルタ４９６は、入力ＲＦ信号を取得するために、受信信号をフィルタ処理するためにＲＦフロントエンド４８８によって使用され得る。同様に、一態様では、たとえば、それぞれのフィルタ４９６は、送信のための出力信号を生成するために、それぞれのＰＡ４９８からの出力をフィルタ処理するために使用され得る。一態様では、各フィルタ４９６は、特定のＬＮＡ４９０および／またはＰＡ４９８に接続され得る。一態様では、ＲＦフロントエンド４８８は、トランシーバ４０２および／またはプロセッサ４１２によって指定される構成に基づいて、指定されたフィルタ４９６、ＬＮＡ４９０、および／またはＰＡ４９８を使用する送信または受信経路を選択するために、１つまたは複数のスイッチ４９２を使用することができる。
【００６８】
[0078]したがって、トランシーバ４０２は、ＲＦフロントエンド４８８−ａを介して１つまたは複数のアンテナ４６５を通してワイヤレス信号を送信および受信するように構成され得る。一態様では、トランシーバは、ＡＰ１０５が、たとえば、１つまたは複数のＳＴＡ１１５あるいは１つまたは複数のＡＰ１０５に関連付けられた１つまたは複数のセルと通信することができるように、指定された周波数において動作するように調整され得る。一態様では、たとえば、モデム４１４は、ＡＰ１０５のＡＰ構成とモデム４１４によって使用される通信プロトコルとに基づいて、指定された周波数および電力レベルにおいて動作するようにトランシーバ４０２を構成することができる。
【００６９】
[0079]一態様では、モデム４１４は、デジタルデータがトランシーバ４０２を使用して送信および受信されるように、デジタルデータを処理し、トランシーバ４０２と通信することができる、マルチバンドマルチモードモデムであり得る。一態様では、モデム４１４は、マルチバンドであり、特定の通信プロトコルのための複数の周波数帯域をサポートするように構成され得る。一態様では、モデム４１４は、マルチモードであり、複数の動作ネットワークおよび通信プロトコルをサポートするように構成され得る。一態様では、モデム４１４は、指定されたモデム構成に基づいてネットワークからの信号の送信および／または受信を可能にするために、ＡＰ１０５の１つまたは複数の構成要素（たとえば、ＲＦフロントエンド４８８、トランシーバ４０２）を制御することができる。一態様では、モデム構成は、モデムのモードと使用中の周波数帯域とに基づき得る。別の態様では、モデム構成は、セル選択および／またはセル再選択中にネットワークによって与えられた、ＡＰ１０５に関連付けられたＡＰ構成情報に基づき得る。
【００７０】
[0080]いくつかの例では、通信管理構成要素４０５は、図２を参照しながら説明されたように、ＡＰにおいて、ＲＴＳ／ＣＴＳプロトコルに関連付けられたＵＬ送信のための１つまたは複数のフレームタイプを識別するためのＲＴＳ／ＣＴＳプロトコルフレームタイプ識別器４１０を含み得、１つまたは複数のフレームタイプは、ＵＬ送信のためにＳＴＡによってサポートされる複数のフレームタイプから識別される。ＲＴＳ／ＣＴＳプロトコルフレームタイプ識別器４１０は、ハードウェア、ファームウェア、および／またはソフトウェアを備え得、メモリ（たとえば、コンピュータ可読記憶媒体）に記憶された、コードを実行するかまたは命令を実施するように構成され得る。通信管理構成要素４０５は、ＡＰにおいて、ＡＰに関連付けられたＳＴＡにおけるＲＴＳ／ＣＴＳプロトコルのＵＬ送信を無効化するための１つまたは複数の条件を識別することを識別するための条件識別構成要素４１５をさらに含み得る。通信管理構成要素４０５は、ハードウェア、ファームウェア、および／またはソフトウェアを備え得、メモリ（たとえば、コンピュータ可読記憶媒体）に記憶された、コードを実行するかまたは命令を実施するように構成され得る。
【００７１】
[0081]追加または代替として、通信管理構成要素４０５は、トランシーバ４０２による送信のための構成メッセージを生成するように構成されたＳＴＡ構成構成要素４２０を含み得る。ＳＴＡ構成構成要素４２０は、ハードウェア、ファームウェア、および／またはソフトウェアを備え得、メモリ（たとえば、コンピュータ可読記憶媒体）に記憶された、コードを実行するかまたは命令を実施するように構成され得る。いくつかの態様では、構成メッセージは、１つまたは複数のフレームタイプと、ＳＴＡが１つまたは複数のフレームタイプを使用するための１つまたは複数の条件と、ＳＴＡが１つまたは複数のフレームタイプの各々を用いて送信するための１つまたは複数の送信パラメータ値とを示す構成情報を含み得る。
【００７２】
[0082]追加または代替として、通信管理構成要素４０５は、ＡＰによって実行されるＴＸＯＰしきい値ブロードキャスティング／ユニキャスティングおよびＴＸＯＰしきい値上書きに関して以下で説明される様々な機能を実行するように構成されたＴＸＯＰしきい値構成構成要素４２５を含み得る（たとえば、図６、図７、および図８Ａ参照）。ＴＸＯＰしきい値構成構成要素４２５は、ハードウェア、ファームウェア、および／またはソフトウェアを備え得、メモリ（たとえば、コンピュータ可読記憶媒体）に記憶された、コードを実行するかまたは命令を実施するように構成され得る。
【００７３】
[0083]図５は、本開示の様々な態様による、本明細書で説明される１つまたは複数の方法（たとえば、方法３０２、３０４、および８２０）を実装するためのＳＴＡ１１５のハードウェア構成要素および副構成要素を表す。たとえば、ＳＴＡ１１５の実装形態の一例は様々な構成要素を含み得、それらのうちのいくつかは、上記ですでに説明されたが、１つまたは複数のバス５４４を介して通信している１つまたは複数のプロセッサ５１２およびメモリ５１６およびトランシーバ５０２などの構成要素を含み、それらは、本開示の１つまたは複数の方法を含めることに関係する本明細書で説明される機能のうちの１つまたは複数を可能にするように構成構成要素５０５とともに動作し得る。さらに、１つまたは複数のプロセッサ５１２、モデム５１４、メモリ５１６、トランシーバ５０２、ＲＦフロントエンド５８８、および１つまたは複数のアンテナ５６５は、１つまたは複数の無線アクセス技術において音声および／またはデータ呼を（同時にまたは非同時に）サポートするように構成され得る。
【００７４】
[0084]一態様では、１つまたは複数のプロセッサ５１２は、１つまたは複数のモデムプロセッサを使用するモデム５１４を含むことができる。構成構成要素５０５に関係する様々な機能は、モデム５１４および／またはプロセッサ５１２に含まれ得、一態様では、単一のプロセッサによって実行され得、他の態様では、それらの機能のうちの異なる機能は、２つまたはそれ以上の異なるプロセッサの組合せによって実行され得る。たとえば、一態様では、１つまたは複数のプロセッサ５１２は、トランシーバ５０２に関連付けられたモデムプロセッサ、またはベースバンドプロセッサ、またはデジタル信号プロセッサ、または送信プロセッサ、または受信機プロセッサ、またはトランシーバプロセッサのうちのいずれか１つまたは任意の組合せを含み得る。他の態様では、構成構成要素５０５に関連付けられた１つまたは複数のプロセッサ５１２および／またはモデム５１４の特徴のうちのいくつかは、トランシーバ５０２によって実行され得る。
【００７５】
[0085]また、メモリ５１６は、本明細書で使用されるデータ、ならびに／あるいは少なくとも１つのプロセッサ５１２によって実行されているアプリケーションのローカルバージョンまたは構成構成要素５０５および／またはそれの副構成要素のうちの１つまたは複数を記憶するように構成され得る。メモリ５１６は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータまたは少なくとも１つのプロセッサ５１２によって使用可能な任意のタイプのコンピュータ可読媒体を含むことができる。一態様では、たとえば、ＳＴＡ１１５が、構成構成要素５０５および／またはそれの副構成要素のうちの１つまたは複数を実行するように少なくとも１つのプロセッサ５１２を動作させているとき、メモリ５１６は、構成構成要素５０５および／またはそれの副構成要素のうちの１つまたは複数を定義する１つまたは複数のコンピュータ実行可能コード、および／またはそれに関連付けられたデータを記憶する非一時的コンピュータ可読記憶媒体であり得る。
【００７６】
[0086]トランシーバ５０２は、少なくとも１つの受信機５０６と少なくとも１つの送信機５０８とを含み得る。受信機５０６は、データを受信するためのプロセッサによって実行可能なハードウェア、ファームウェア、および／またはソフトウェアコードを含み得、コードは、命令を備え、メモリ（たとえば、コンピュータ可読媒体）に記憶される。受信機５０６は、たとえば、無線周波数（ＲＦ）受信機であり得る。一態様では、受信機５０６は、少なくとも１つのＡＰ１０５によって送信された信号を受信し得る。さらに、受信機５０６は、そのような受信された信号を処理し得、また、限定はしないが、Ｅｃ／Ｉｏ、ＳＮＲ、ＲＳＲＰ、ＲＳＳＩなど、信号の測定値を取得し得る。送信機５０８は、データを送信するためのプロセッサによって実行可能なハードウェア、ファームウェア、および／またはソフトウェアコードを含み得、コードは、命令を備え、メモリ（たとえば、コンピュータ可読媒体）に記憶される。トランシーバ５０２の好適な例は、限定はしないが、ＲＦ送信機を含み得る。
【００７７】
[0087]その上、一態様では、ＳＴＡ１１５はＲＦフロントエンド５８８を含み得、ＲＦフロントエンド５８８は、無線送信、たとえば、少なくとも１つのＡＰ１０５によって送信されたワイヤレス通信またはＳＴＡ１１５によって送信されたワイヤレス送信を、受信および送信するための１つまたは複数のアンテナ５６５およびトランシーバ５０２との通信において動作し得る。ＲＦフロントエンド５８８は、１つまたは複数のアンテナ５６５に接続され得、ＲＦ信号を送信および受信するための１つまたは複数の低雑音増幅器（ＬＮＡ）５９０と、１つまたは複数のスイッチ５９２と、１つまたは複数の電力増幅器（ＰＡ）５９８と、１つまたは複数のフィルタ５９６とを含むことができる。
【００７８】
[0088]一態様では、ＬＮＡ５９０は、所望の出力レベルにおいて受信信号を増幅することができる。一態様では、各ＬＮＡ５９０は、指定された最小および最大利得値を有し得る。一態様では、ＲＦフロントエンド５８８は、特定の適用例のための所望の利得値に基づいて特定のＬＮＡ５９０およびそれの指定された利得値を選択するために、１つまたは複数のスイッチ５９２を使用し得る。
【００７９】
[0089]さらに、たとえば、１つまたは複数のＰＡ５９８は、所望の出力電力レベルにおいてＲＦ出力のための信号を増幅するために、ＲＦフロントエンド５８８によって使用され得る。一態様では、各ＰＡ５９８は、指定された最小および最大利得値を有し得る。一態様では、ＲＦフロントエンド５８８は、特定の適用例のための所望の利得値に基づいて特定のＰＡ５９８およびそれの指定された利得値を選択するために、１つまたは複数のスイッチ５９２を使用し得る。
【００８０】
[0090]また、たとえば、１つまたは複数のフィルタ５９６は、入力ＲＦ信号を取得するために、受信信号をフィルタ処理するためにＲＦフロントエンド５８８によって使用され得る。同様に、一態様では、たとえば、それぞれのフィルタ５９６は、送信のための出力信号を生成するために、それぞれのＰＡ５９８からの出力をフィルタ処理するために使用され得る。一態様では、各フィルタ５９６は、特定のＬＮＡ５９０および／またはＰＡ５９８に接続され得る。一態様では、ＲＦフロントエンド５８８は、トランシーバ５０２および／またはプロセッサ５１２によって指定される構成に基づいて、指定されたフィルタ５９６、ＬＮＡ５９０、および／またはＰＡ５９８を使用する送信または受信経路を選択するために、１つまたは複数のスイッチ５９２を使用することができる。
【００８１】
[0091]したがって、トランシーバ５０２は、ＲＦフロントエンド５８８を介して１つまたは複数のアンテナ５６５を通してワイヤレス信号を送信および受信するように構成され得る。一態様では、トランシーバは、ＳＴＡ１１５が、たとえば、１つまたは複数の他のＳＴＡ１１５あるいは１つまたは複数のＡＰ１０５に関連付けられた１つまたは複数のセルと通信することができるように、指定された周波数において動作するように調整され得る。一態様では、たとえば、モデム５１４は、ＳＴＡ１１５のＳＴＡ構成とモデム５１４によって使用される通信プロトコルとに基づいて、指定された周波数および電力レベルにおいて動作するようにトランシーバ５０２を構成することができる。
【００８２】
[0092]一態様では、モデム５１４は、デジタルデータがトランシーバ５０２を使用して送信および受信されるように、デジタルデータを処理し、トランシーバ５０２と通信することができる、マルチバンドマルチモードモデムであり得る。一態様では、モデム５１４は、マルチバンドであり、特定の通信プロトコルのための複数の周波数帯域をサポートするように構成され得る。一態様では、モデム５１４は、マルチモードであり、複数の動作ネットワークおよび通信プロトコルをサポートするように構成され得る。一態様では、モデム５１４は、指定されたモデム構成に基づいてネットワークからの信号の送信および／または受信を可能にするために、ＳＴＡ１１５の１つまたは複数の構成要素（たとえば、ＲＦフロントエンド５８８、トランシーバ５０２）を制御することができる。一態様では、モデム構成は、モデムのモードと使用中の周波数帯域とに基づき得る。別の態様では、モデム構成は、セル選択および／またはセル再選択中にネットワークによって与えられた、ＳＴＡ１１５に関連付けられたＳＴＡ構成情報に基づき得る。
【００８３】
[0093]いくつかの態様では、トランシーバ５０２はＡＰから構成メッセージを受信し得る。トランシーバ５０２は、構成メッセージを復号することを助け得る。いくつかの態様では、構成メッセージは、１つまたは複数のフレームタイプと、ＳＴＡ１１５が１つまたは複数のフレームタイプを使用するための１つまたは複数の条件とを示し得る。追加または代替として、受信された構成メッセージは、ＡＰに関連付けられたＳＴＡにおけるＲＴＳ／ＣＴＳプロトコルのＵＬ送信を無効化するための１つまたは複数の条件を示す構成情報を含み得る。１つまたは複数の例では、構成構成要素５０５は、構成メッセージ中で与えられた構成情報に基づいてＳＴＡ１１５を構成するであり得る。たとえば、ＳＴＡ１１５を構成することは、ＲＴＸ／ＣＴＸプロトコル構成要素５１０における１つまたは複数のＲＴＳ／ＣＴＳパラメータを修正または更新することを含み得る。言い換えれば、構成情報は、ＲＴＸ／ＣＴＸプロトコル構成要素５１０に記憶され得、ＳＴＡ１１５において観測された条件に基づいて正しいフレームタイプが使用されるように、構成情報に基づいて適切なＲＴＳ／ＣＴＳパラメータが更新され得る。
【００８４】
[0094]追加または代替として、構成構成要素５０５は、ＳＴＡによって実行される受信ＴＸＯＰしきい値ブロードキャスティング／ユニキャスティングおよびＴＸＯＰしきい値上書きに関して以下で説明される様々な機能を実行するように構成されたＴＸＯＰしきい値構成要素５１５を含み得る（たとえば、図６、図７、および図８Ｂ参照）。ＴＸＯＰしきい値構成要素５１５は、ハードウェア、ファームウェア、および／またはソフトウェアを備え得、メモリ（たとえば、コンピュータ可読記憶媒体）に記憶された、コードを実行するかまたは命令を実施するように構成され得る。その上、ＴＸＯＰしきい値構成要素５１５の態様はＲＴＸ／ＣＴＸプロトコル構成要素５１０の態様とともに動作し得、いくつかの例では、ＴＸＯＰしきい値構成要素５１５は、ＲＴＸ／ＣＴＸプロトコル構成要素５１０において少なくとも部分的に実装され得る。
【００８５】
[0095]上記で説明されたように、ＡＰは、ＳＴＡにおけるＵＬ  ＲＴＳ／ＣＴＳ動作を制御するために使用され得る。すなわち、上記で説明された様々な態様は、ＡＰが、非ＡＰ  ＳＴＡによって開始されるＲＴＳ／ＣＴＳの使用を構成することを可能にする機構または技法を与える。したがって、ＲＴＳ／ＣＴＳ構成のための異なる基準およびシグナリングが、以下で説明されるさらなる態様を用いて本開示で提供される。
【００８６】
[0096]たとえば、本開示の態様は、ＴＸＯＰベースＵＬ  ＲＴＳ／ＣＴＳ有効化を与える。すなわち、ＡＰ（たとえば、ＡＰ１０５）は、ＡＰのＢＳＳ中の１つまたは複数のＳＴＡに、単にＴＸＯＰしきい値と呼ばれることがある「ＴＸＯＰ持続時間」しきい値をシグナリング、送信、またはさもなければ示し得る。次いで、ＡＰからＴＸＯＰしきい値の指示を受信し、ＴＸＯＰを取得したＳＴＡ（たとえば、ＳＴＡ１１５）は、計画されたＴＸＯＰ持続時間がＴＸＯＰしきい値を満たす（たとえば、超える）場合、ＲＴＳ（たとえば、ＲＴＳフレーム）を送ることによってＴＸＯＰを開始し得る。しかしながら、この手法は、ＳＴＡにＲＴＳ／ＣＴＳを送信させるための追加の条件が定義される他の実装形態を妨げる必要はない。たとえば、ＳＴＡは、他の考慮事項が考慮に入れられるとき、計画されたＴＸＯＰ持続時間がＴＸＯＰしきい値を満たさないとき（たとえば、ＴＸＯＰ＜ＴＸＯＰしきい値）、ＲＴＳを送ることを決定（determine）または決定（decide）し得る。
【００８７】
[0097]いくつかの態様では、ＴＸＯＰは、それが、ＲＴＳ／ＣＴＳによって提示されるオーバーヘッドを定量化するためのより一般的なメトリックであるので、有用なメトリックであり得る。たとえば、オーバーヘッドが小さい場合、ＲＴＳ／ＣＴＳは、無視できるコストで隠れノードおよびＣＳＭＡ衝突からの保護を改善するのに有用であり得る。いくつかの事例では、ＰＳＤＵおよびＴＸＴＩＭＥが、オーバーヘッドを定量化するためのメトリックの例として考慮される。しかしながら、ＰＳＤＵのサイズは、実際の送信時間を反映する必要がない（たとえば、レートがより高い場合、ＰＳＤＵ送信の時間はより短くなる。その上、ＴＸＴＩＭは、ＲＴＳ／ＣＴＳによって保護されたＴＸＯＰにおける複数のフレーム交換の場合、明確に定義されない。ＴＸＯＰは、上述のように、ＳＴＡがＴＸＯＰにおけるＵＬデータバーストまたは混合ＵＬおよびＤＬフレーム（たとえば、ＳＴＡによって開始される逆方向許可（ＲＤＧ：reverse direction grant）、省電力ポール（ＰＳポール）およびＤＬデータ）を有し得るので、オーバーヘッドを定量化するためのより良いメトリックまたはパラメータであり得る。
【００８８】
[0098]図６は、ＴＸＯＰの関数としての例示的なＲＴＳ／ＣＴＳオーバーヘッドを示すチャート６００を示す。チャート６００では、ＲＴＳ／ＣＴＳオーバーヘッド割合（％）がＴＸＯＰの関数として示されており、ここで、オーバーヘッドは、２×ＳＩＦＳに加えてＲＴＳ／ＣＴＳ持続時間として定義される。たとえば、ＲＴＳ持続時間は５２μｓであり得、ＣＴＳ持続時間は４４μｓであり得る。増加するＴＸＯＰ持続時間とともに、オーバーヒアされるＲＴＳ／ＣＴＳの低減を明確に示す、チャート６００に示されている結果は、以下の条件、すなわち、６Ｍｂｐｓ、２０μｓプリアンブル、１６個のサービスビット、および６つのテールビットに基づく。
【００８９】
[0099]図７は、本開示の様々な態様による、制御情報要素（ＩＥ）を示すブロック図７００を示す。図７００中の制御ＩＥは、ＴＸＯＰしきい値をシグナリングまたは伝達するためにＡＰによって使用され得るＵＬ  ＲＴＳ／ＣＴＳ制御ＩＥを指すことがある。図示のように、制御ＩＥは様々な部分またはフィールドを含み得る。第１の部分またはフィールドは、たとえば、１オクテットを伴い得る要素識別子（ＩＤ）であり得る。第２の部分またはフィールドは、たとえば、１オクテットを伴い得る長さであり得る。第３の部分またはフィールドは、たとえば、２オクテットを伴い得るＴＸＯＰしきい値であり得る。図７に示されている制御ＩＥ、それのサイズ、および様々な部分、フィールド、またはセクションは、限定としてではなく例として与えられる。また、制御ＩＥを受信するＳＴＡが、それの現在のＴＸＯＰしきい値を制御ＩＥ中のものと交換すべきであるかまたはそれで上書きすべきであるかどうかの指示が、示されている部分のうちのいずれか１つ中に、または異なる部分中に含まれ得る。以下でより詳細に説明されるように、そのような指示は、設定されたシングル共通ビット、または設定されたビットマップ中のビットであり得る。
【００９０】
[00100]図７に示されている制御ＩＥに関係する態様では、ある場合には、ＡＰは、ゼロ（「０」）よりも大きい計画されたＴＸＯＰ持続時間がＲＴＳの送信を常にトリガすることになるように、単にＴＸＯＰしきい値をゼロに設定することによって各インスタンスにおけるＲＴＳを有効化するようにＳＴＡを構成することができる。
【００９１】
[00101]別の態様では、ＡＰは、複数のＳＴＡにＴＸＰＯしきい値をブロードキャストし得るか、またはＳＴＡごとにＴＸＯＰしきい値を送信し得る（たとえば、ユニキャスト送信）。したがって、ブロードキャストされたＴＸＯＰしきい値が現在のまたはＳＴＡごとのＴＸＯＰしきい値を上書きするかまたは交換すべきであるかどうか、あるいはＳＴＡごとのＴＸＯＰしきい値が現在のブロードキャストされたＴＸＯＰしきい値を上書きするかまたは交換すべきであるかどうかを示すための機構または技法が必要とされる。たとえば、図７中のものなどの制御ＩＥがＡＰによってブロードキャストされるとき、制御ＩＥは、制御ＩＥを受信するＳＴＡが、現在のＳＴＡごとのＴＸＯＰしきい値（たとえば、ＳＴＡごとのＴＸＯＰしきい値としてその特定のＳＴＡに前に与えられたもの）を、ブロードキャストされた制御ＩＥの一部であるＴＸＯＰしきい値で上書きするかまたはそれと交換すべきであるかどうかを示すために追加された「上書き」ビットを含み得る。たとえば、シングルビットが、そのようなシングルビットが設定されたとき、共通上書きまたは交換指示がすべてのＳＴＡに与えられるように、すべてのＳＴＡのために使用され得る。別の例では、ビットは、ＡＰに、ＳＴＡの関連付けＩＤ（ＡＩＤ）に対応するビットマップ中の各ビットを用いてビットマップをシグナリングさせることによって、ＳＴＡごとに使用され得る。そのような例では、ビットマップ中に設定された各ビットは、それの対応するＳＴＡに、ＳＴＡの現在のＴＸＯＰしきい値を制御ＩＥ中のＴＸＯＰしきい値で上書きするかまたはそれと交換するように示すことになる。
【００９２】
[00102]図８Ａは、本開示の様々な態様による、ＡＰ上で実装されるワイヤレス通信の別の例示的な方法のフローチャートである。図８Ａの態様は、ＡＰ１０５、メモリ４１６および／またはプロセッサ４１２、トランシーバ４０２、通信管理構成要素４０５、ならびに／あるいはＴＸＯＰしきい値構成構成要素４２５によって実行され得る。
【００９３】
[00103]方法８００のブロック８０５において、ＡＰ（たとえば、ＡＰ１０５）は、ＳＴＡ（たとえば、ＳＴＡ１１５）のためのＴＸＯＰしきい値を決定する。いくつかの例では、ブロック８０５の態様は、図４を参照しながら説明されたＴＸＯＰしきい値構成構成要素４２５によって実行され得る。
【００９４】
[00104]方法８００のブロック８１０において、ＡＰは、そのＳＴＡを含む１つまたは複数のＳＴＡにＴＸＯＰしきい値を有するメッセージ（たとえば、図７に示されている制御ＩＥを含むメッセージ）をブロードキャストすべきなのか、そのＳＴＡにＴＸＯＰしきい値を有するメッセージをユニキャストすべきなのかを決定する。
【００９５】
[00105]方法８００のブロック８１５において、ＡＰは、メッセージをブロードキャストすべきなのか、メッセージをユニキャストすべきなのかの決定に従って（たとえば、トランシーバ４０２を介して）メッセージを送信する。
【００９６】
[00106]方法８００の別の態様では、ＡＰは、現在のＴＸＯＰしきい値をメッセージ中のＴＸＯＰしきい値と交換するようにとの指示を送信し得る。一例では、メッセージを送信することは、メッセージをブロードキャストすることを含み、指示は、現在のＴＸＯＰしきい値をブロードキャストメッセージ中のＴＸＯＰしきい値と交換するようにとの、１つまたは複数のＳＴＡの各々のための共通指示であるブロードキャストメッセージ中のシングルビットである。別の例では、メッセージを送信することは、メッセージをブロードキャストすることを含み、指示はブロードキャストメッセージ中のビットマップであり、ここで、ビットマップ中の各設定されたビットは、それのための現在のＴＸＯＰしきい値が、ブロードキャストメッセージ中のＴＸＯＰしきい値と交換されるべきである１つまたは複数のＳＴＡのそれぞれのＳＴＡを識別する。
【００９７】
[00107]方法８００の別の態様では、メッセージを送信することは、メッセージをＳＴＡにユニキャストすることを含み、ＳＴＡにおける現在のＴＸＯＰしきい値は、ユニキャストメッセージ中のＴＸＯＰしきい値と交換されるべきである、前にブロードキャストされたＴＸＯＰしきい値である。
【００９８】
[00108]方法８００の別の態様では、メッセージは、ＴＸＯＰしきい値を有するＵＬ  ＲＴＳ／ＣＴＳ制御ＩＥを含む。
【００９９】
[00109]図８Ｂは、本開示の様々な態様による、ＳＴＡ上で実装されるワイヤレス通信の別の例示的な方法のフローチャートである。図８Ｂの態様は、ＳＴＡ１１５、メモリ５１６および／またはプロセッサ５１２、構成構成要素５０５、ならびに／あるいはＴＸＯＰしきい値構成要素５１５によって実行され得る。
【０１００】
[00110]方法８２０のブロック８２５において、ＳＴＡ（たとえば、ＳＴＡ１１５）は、ＴＸＯＰしきい値を有するメッセージをＡＰ（たとえば、ＡＰ１０５）から受信する。
【０１０１】
[00111]方法８２０のブロック８３０において、ＳＴＡは、ＡＰから受信されたメッセージ中の指示に基づいて、ＳＴＡにおける現在のＴＸＯＰしきい値を、受信されたメッセージ中のＴＸＯＰしきい値と交換するかまたはそれで上書きする。
【０１０２】
[00112]方法８２０のブロック８３５において、ＳＴＡは、計画されたＴＸＯＰ持続時間がＴＸＯＰしきい値を満たす（たとえば、超える）と決定する。
【０１０３】
[00113]方法８２０のブロック８４０において、ＳＴＡは、計画されたＴＸＯＰ持続時間がＴＸＯＰしきい値を満たすという決定に応答して、（たとえば、トランシーバ５０２を介して）ＵＬ  ＲＴＳフレームを送信する。
【０１０４】
[00114]方法８２０の別の態様では、メッセージはＡＰからのブロードキャストメッセージであり、指示は、現在のＴＸＯＰしきい値をブロードキャストメッセージ中のＴＸＯＰしきい値と交換するようにとの共通指示であるブロードキャストメッセージ中のシングルビットである。
【０１０５】
[00115]方法８２０の別の態様では、メッセージはＡＰからのブロードキャストメッセージであり、指示はブロードキャストメッセージ中のビットマップであり、ここで、ビットマップ中の１つの設定されたビットは、ＳＴＡを、それのための現在のＴＸＯＰしきい値が、ブロードキャストメッセージ中のＴＸＯＰしきい値と交換されるべきであるＳＴＡとして識別する。
【０１０６】
[00116]方法８２０の別の態様では、メッセージは、ユニキャストメッセージであり、ＳＴＡにおける現在のＴＸＯＰしきい値は、ユニキャストメッセージ中のＴＸＯＰしきい値と交換されるべきである、前にブロードキャストされたＴＸＯＰしきい値である。方法８２０の別の態様では、メッセージは、ＴＸＯＰしきい値を有するＵＬ  ＲＴＳ／ＣＴＳ制御ＩＥを含む。
【０１０７】
[00117]図９は、本開示の別の態様による、ワイヤレス通信の方法９００の一例を概念的に示すフローチャートである。明快のために、方法９００は、図１および図４を参照しながら説明されたＡＰ１０５に関して以下で説明される。いくつかの例では、方法９００は、全体的にまたは部分的に図２Ｂおよび図８Ａを参照しながら説明された方法の態様を組み込み得る。
【０１０８】
[00118]９０５において、本方法は、ＡＰにおいて、ＡＰに関連付けられたＳＴＡにおけるＲＴＳ／ＣＴＳプロトコルのＵＬ送信を無効化することまたは有効化することのうちの１つまたは複数のための１つまたは複数の条件を識別することを含み得る。９０５の態様は、図４を参照しながら説明された条件識別構成要素４１５によって実行され得る。
【０１０９】
[00119]いくつかの例では、ＲＴＳ／ＣＴＳプロトコルのＵＬ送信を無効化するための条件は、送信オーバーヘッドパラメータが所定のオーバーヘッドしきい値よりも小さいという無効化条件を含み得る。いくつかの態様では、送信オーバーヘッドパラメータはＰＰＤＵ持続時間であり得、所定のオーバーヘッドしきい値はＰＰＤＵしきい値であり得る。追加または代替として、送信オーバーヘッドパラメータはＴＸＯＰパラメータであり得、所定のオーバーヘッドしきい値はＴＸＯＰしきい値であり得る。他の例では、１つまたは複数の条件は、リンク品質パラメータが所定のリンク品質しきい値よりも大きいという無効化条件を含み得る。リンク品質パラメータはＲＳＳＩであり得、所定のリンク品質しきい値はＲＳＳＩしきい値である。追加または代替として、リンク品質パラメータはＭＣＳインデックス値であり得、所定のリンク品質しきい値はＲＳＳＩしきい値である。
【０１１０】
[00120]いくつかの態様では、１つまたは複数の条件を識別することは、ＳＴＡにおけるＲＴＳ／ＣＴＳプロトコルのＵＬ送信をその中で無効化するための時間ウィンドウまたはチャネルを識別することを備え得る。したがって、（９２５における）構成メッセージは、ＲＴＳ／ＣＴＳプロトコルのＵＬ送信をその中で無効化するための時間ウィンドウまたはチャネルを示す構成情報を含み得る。またさらなる例では、１つまたは複数の条件は、衝突パラメータが所定の衝突しきい値よりも小さいという無効化条件を含み得る。たとえば、衝突パラメータはＰＥＲであり得、所定の衝突しきい値はＰＥＲしきい値であり得る。追加または代替として、衝突パラメータは再送信の数であり得、所定の衝突しきい値は再試行しきい値であり得る。１つまたは複数の例では、１つまたは複数の条件を識別することは、ＳＴＡにおけるＲＴＳ／ＣＴＳプロトコルのＵＬ送信をそれについて無効化するためのパケットタイプまたはアクセスクラスを識別することを備え得る。したがって、構成メッセージは、ＳＴＡのパケットタイプまたはアクセスクラスを示す構成情報を含み得る。
【０１１１】
[00121]追加または代替として、ＲＴＳ／ＣＴＳプロトコルのＵＬ送信を有効化するための条件は、ＡＰにおいて、ＳＴＡのためのＴＸＯＰしきい値を設定することを含み得る。いくつかの例では、ＳＴＡは、ＲＴＳ／ＣＴＳプロトコルを有効化すべきかどうかのそれの考慮において、計画されたＴＸＯＰ持続時間が、ＡＰによって設定されたＴＸＯＰしきい値を満たすと決定する。いくつかの態様では、ＳＴＡは、計画されたＴＸＯＰ持続時間がＴＸＯＰしきい値を超える場合、ＲＴＳを送ることによってＴＸＯＰを開始し得る。代替的に、ＳＴＡは、計画されたＴＸＯＰ持続時間がＴＸＯＰしきい値よりも小さいとき、ＲＴＳ／ＣＴＳプロトコルを有効化することを中止し得る。したがって、いくつかの態様では、本方法は、ＳＴＡのためのＴＸＯＰしきい値を決定することを随意に９１５において含み得る得る。いくつかの例では、ブロック９２５の態様は、図４を参照しながら説明されたＴＸＯＰしきい値構成構成要素４２５によって実行され得る。
【０１１２】
[00122]９２０において、本方法は、そのＳＴＡを含む１つまたは複数のＳＴＡにＴＸＯＰしきい値を有するメッセージをブロードキャストすべきなのか、そのＳＴＡにメッセージをユニキャストすべきなのかを決定することを随意に含み得る。ブロック９２０の態様は、図４を参照しながら説明されたトランシーバ４０２によって実行され得る。
【０１１３】
[00123]９２５において、本方法は、ＳＴＡに構成メッセージを送信することを含み得る。構成メッセージは、１つまたは複数の条件を示す構成情報を含み得る。上述のように、いくつかの例では、１つまたは複数の条件は、ＳＴＡがＲＴＳ／ＣＴＳのＵＬ送信をいつ有効化または無効化すべきであるかを識別し得る条件を識別し得る。１つまたは複数の例では、ＡＰは、９２０の決定ステップに基づいて構成メッセージをブロードキャストするかまたはユニキャストするかのいずれかを行い得る。９２５の態様も、図４を参照しながら説明されたトランシーバ４０２によって実行され得る。
【０１１４】
[00124]図９Ｂは、本開示の態様による、ワイヤレス通信の方法９５０の一例を概念的に示すフローチャートである。明快のために、方法９５０は、図１および図５を参照しながら説明されたＳＴＡ１１５に関して以下で説明される。いくつかの例では、方法９５０は、全体的にまたは部分的に、それぞれ、図３Ｂおよび図８Ｂを参照しながら説明された方法３０４および８２０の態様を組み込み得る。
【０１１５】
[00125]９３０において、本方法は、ＳＴＡにおいて、ＡＰから構成メッセージを受信することを含み得、構成メッセージは、ＡＰに関連付けられたＳＴＡにおけるＲＴＳ／ＣＴＳプロトコルのＵＬ送信を無効化または有効化するための１つまたは複数の条件を示す構成情報を含む。９３０の態様は、図５を参照しながら説明されたトランシーバ５０２によって実行され得る。
【０１１６】
[00126]９３５において、本方法は、構成メッセージ中で与えられた構成情報に基づいてＳＴＡを構成することを含み得る。９３５の態様は、図５を参照しながら説明された構成構成要素５０５によって実行され得る。
【０１１７】
[00127]方法のブロック９４０において、ＳＴＡは、ＡＰから受信された構成メッセージ中の指示に基づいて、ＳＴＡにおける現在のＴＸＯＰしきい値を、受信されたメッセージ中のＴＸＯＰしきい値と交換するかまたはそれで上書きする。９４０の態様は、図５を参照しながら説明されたＴＸＯＰしきい値構成要素５１５によって実行され得る。
【０１１８】
[00128]方法のブロック９４５において、ＳＴＡは、計画されたＴＸＯＰ持続時間がＴＸＯＰしきい値を満たす（たとえば、超える）と決定する。９４５の態様も、図５を参照しながら説明されたＴＸＯＰしきい値構成要素５１５によって実行され得る。
【０１１９】
[00129]方法のブロック９５０において、ＳＴＡは、計画されたＴＸＯＰ持続時間がＴＸＯＰしきい値を満たすという決定に応答してＵＬ  ＲＴＳフレームを送信する。ブロック９５０の態様は、図５を参照しながら説明されたトランシーバ５０２によって実行され得る。装置および方法は、発明を実施するための形態において説明され、ブロック、モジュール、構成要素、回路、ステップ、プロセス、アルゴリズムなどを備える様々な要素によって添付の図面に示された。これらの要素またはそれらの任意の部分は、単独であるいは他の要素および／または機能との組合せでのいずれかで、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。一態様では、本明細書で使用される「構成要素」という用語は、システムを構成する部分のうちの１つであり得、他の構成要素に分割され得る。
【０１２０】
[00130]例として、要素、または要素の任意の部分、または要素の任意の組合せは、１つまたは複数のプロセッサを含む「処理システム」を用いて実装され得る。プロセッサは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいはそれらの任意の組合せ、あるいは本明細書で説明された機能を実行するように設計された他の好適な構成要素を含み得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティング構成要素の組合せ、たとえば、ＤＳＰとマイクロプロセッサとの組合せ、複数のマイクロプロセッサ、ＤＳＰと連携する１つまたは複数のマイクロプロセッサ、または任意の他のそのような構成として実装され得る。
【０１２１】
[00131]処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアは一時的または非一時的コンピュータ可読媒体上に常駐し得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、スタティックＲＡＭ（ＳＲＡＭ）、ダイナミックＲＡＭ（ＤＲＡＭ）、同期ダイナミックＲＡＭ（ＳＤＲＡＭ）、ダブル日付レートＲＡＭ（ＤＤＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、汎用レジスタ、またはソフトウェアを記憶するための他の好適な非一時的媒体を含み得る。
【０１２２】
[00132]処理システム内の様々な相互接続は、バスとしてまたは単一信号線として示され得る。バスの各々は代替的に単一の信号線であり得、単一の信号線の各々は代替的にバスであり得、単一の線またはバスは、要素間の通信のための無数の物理機構または論理機構のうちの任意の１つまたは複数を表し得る。本明細書で説明される様々なバスを介して与えられる信号のいずれも、他の信号と時間多重化され、１つまたは複数の共通バスを介して与えられ得る。
【０１２３】
[00133]本開示の様々な態様は、当業者が本発明を実施することができるようにするために提供される。本開示全体にわたって提示される実装形態の例への様々な変更が当業者には容易に明らかであり、本明細書で開示された概念は他の磁気記憶デバイスに拡張され得る。したがって、特許請求の範囲は、本開示の様々な態様に限定されるものではなく、特許請求の範囲の文言に矛盾しない全範囲を与えられるべきである。当業者に知られている、または後に知られることになる、本開示全体にわたって説明された実装形態の例の様々な構成要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に本願の出願当初の特許請求の範囲に記載された発明を付記する。
[Ｃ１]  アクセスポイント（ＡＰ）において、前記ＡＰに関連付けられた局（ＳＴＡ）における送信要求／送信可（ＲＴＳ／ＣＴＳ）プロトコルのアップリンク（ＵＬ）送信を無効化することまたは有効化することの一方または両方のための１つまたは複数の条件を識別することと、
前記ＳＴＡに構成メッセージを送信することと、前記構成メッセージが、前記１つまたは複数の条件を示す構成情報を含む、
を備える、ワイヤレス通信のための方法。
[Ｃ２]  前記１つまたは複数の条件は、送信オーバーヘッドパラメータが所定のオーバーヘッドしきい値よりも小さいという無効化条件を含む、Ｃ１に記載の方法。
[Ｃ３]  前記送信オーバーヘッドパラメータがＰＬＣＰプロトコルデータユニット（ＰＰＤＵ）持続時間であり、前記所定のオーバーヘッドしきい値がＰＰＤＵしきい値であるか、または
前記送信オーバーヘッドパラメータが送信機会（ＴＸＯＰ）であり、前記所定のオーバーヘッドしきい値がＴＸＯＰしきい値である、
Ｃ２に記載の方法。
[Ｃ４]  前記１つまたは複数の条件は、リンク品質パラメータが所定のリンク品質しきい値よりも大きいという無効化条件を含む、Ｃ１に記載の方法。
[Ｃ５]  前記リンク品質パラメータがＲＳＳＩであり、前記所定のリンク品質しきい値がＲＳＳＩしきい値であるか、または
前記リンク品質パラメータがＭＣＳインデックス値であり、前記所定のリンク品質しきい値がＲＳＳＩしきい値である、
Ｃ４に記載の方法。
[Ｃ６]  前記１つまたは複数の条件を識別することが、前記ＳＴＡにおける前記ＲＴＳ／ＣＴＳプロトコルの前記ＵＬ送信をその中で無効化するための時間ウィンドウまたはチャネルを識別することを備え、
前記構成メッセージが、前記時間ウィンドウまたはチャネルを示す構成情報を含む、Ｃ１に記載の方法。
[Ｃ７]  前記１つまたは複数の条件は、衝突パラメータが所定の衝突しきい値よりも小さいという無効化条件を含む、Ｃ１に記載の方法。
[Ｃ８]  前記衝突パラメータがＰＥＲであり、前記所定の衝突しきい値がＰＥＲしきい値であるか、または
前記衝突パラメータが再送信の数であり、前記所定の衝突しきい値が再試行しきい値である、
Ｃ７に記載の方法。
[Ｃ９]  前記１つまたは複数の条件を識別することが、前記ＳＴＡにおける前記ＲＴＳ／ＣＴＳプロトコルの前記ＵＬ送信をそれについて無効化するためのパケットタイプまたはアクセスクラスを識別することを備え、
前記構成メッセージが、前記パケットタイプまたは前記アクセスクラスを示す構成情報を含む、
Ｃ８に記載の方法。
[Ｃ１０]  前記１つまたは複数の条件を示す前記構成情報を含む前記構成メッセージを送信することが、
前記ＡＰにおいて、前記ＳＴＡのための送信機会（ＴＸＯＰ）しきい値を決定することと、
前記ＳＴＡを含む１つまたは複数のＳＴＡに前記ＴＸＯＰしきい値を有するメッセージをブロードキャストすべきなのか、前記ＳＴＡに前記メッセージをユニキャストすべきなのかを決定することと、
前記メッセージをブロードキャストすべきなのか、前記メッセージをユニキャストすべきなのかの前記決定に従って前記メッセージを送信することと、ここにおいて、前記ＳＴＡは、前記ＳＴＡに関連付けられた計画されたＴＸＯＰ持続時間が前記ＴＸＯＰしきい値を満たすとき、前記ＳＴＡにおける前記ＲＴＳ／ＣＴＳプロトコルの前記ＵＬ送信を有効化する、
を含む、Ｃ１に記載の方法。
[Ｃ１１]  現在のＴＸＯＰしきい値を前記メッセージ中の前記ＴＸＯＰしきい値と交換するようにとの指示を送信することをさらに備える、Ｃ１０に記載の方法。
[Ｃ１２]  前記メッセージを送信することが、前記メッセージをブロードキャストすることを含み、前記指示が、現在のＴＸＯＰしきい値を前記ブロードキャストメッセージ中の前記ＴＸＯＰしきい値と交換するようにとの、前記１つまたは複数のＳＴＡの各々のための共通指示である前記ブロードキャストメッセージ中のシングルビットである、Ｃ１１に記載の方法。
[Ｃ１３]  前記メッセージを送信することが、前記メッセージをブロードキャストすることを含み、前記指示が前記ブロードキャストメッセージ中のビットマップであり、ここで、前記ビットマップ中の各設定されたビットは、それのための前記現在のＴＸＯＰしきい値が、前記ブロードキャストメッセージ中の前記ＴＸＯＰしきい値と交換されるべきである前記１つまたは複数のＳＴＡのそれぞれのＳＴＡを識別する、Ｃ１１に記載の方法。
[Ｃ１４]  前記メッセージを送信することが、前記メッセージを前記ＳＴＡにユニキャストすることを含み、前記ＳＴＡにおける現在のＴＸＯＰしきい値が、前記ユニキャストメッセージ中の前記ＴＸＯＰしきい値と交換されるべきである、前にブロードキャストされたＴＸＯＰしきい値である、Ｃ１０に記載の方法。
[Ｃ１５]  前記メッセージが、前記ＴＸＯＰしきい値を有するアップリンク（ＵＬ）送信要求／送信可（ＲＴＳ／ＣＴＳ）制御情報要素（ＩＥ）を含む、Ｃ１０に記載の方法。
[Ｃ１６]  局（ＳＴＡ）において、アクセスポイント（ＡＰ）から構成メッセージを受信することと、ここにおいて、前記構成メッセージが、前記ＡＰに関連付けられた前記ＳＴＡにおける送信要求／送信可（ＲＴＳ／ＣＴＳ）プロトコルのアップリンク（ＵＬ）送信を無効化することまたは有効化することの一方または両方のための１つまたは複数の条件を示す構成情報を含む、
前記構成メッセージ中で与えられた前記構成情報に基づいて前記ＳＴＡを構成することと
を備える、ワイヤレス通信のための方法。
[Ｃ１７]  前記ＡＰから前記構成メッセージを受信することは、
前記ＳＴＡにおいて前記ＡＰから、送信機会（ＴＸＯＰ）しきい値を有するメッセージを受信することと、
前記受信されたメッセージ中の指示に基づいて、前記ＳＴＡにおける現在のＴＸＯＰしきい値を、前記受信されたメッセージ中の前記ＴＸＯＰしきい値と交換することと、
計画されたＴＸＯＰ持続時間が前記ＴＸＯＰしきい値を満たすと決定することと、
前記計画されたＴＸＯＰ持続時間が前記ＴＸＯＰしきい値を満たすという決定に応答してＵＬ  ＲＴＳフレームを送信することと
を備える、Ｃ１６に記載の方法。
[Ｃ１８]  前記メッセージが前記ＡＰからのブロードキャストメッセージであり、前記指示が、前記現在のＴＸＯＰしきい値を前記ブロードキャストメッセージ中の前記ＴＸＯＰしきい値と交換するようにとの共通指示である前記ブロードキャストメッセージ中のシングルビットである、Ｃ１７に記載の方法。
[Ｃ１９]  前記メッセージが前記ＡＰからのブロードキャストメッセージであり、前記指示が前記ブロードキャストメッセージ中のビットマップであり、ここで、前記ビットマップ中の１つの設定されたビットは、前記ＳＴＡを、それのための前記現在のＴＸＯＰしきい値が、前記ブロードキャストメッセージ中の前記ＴＸＯＰしきい値と交換されるべきであるＳＴＡとして識別する、Ｃ１７に記載の方法。
[Ｃ２０]  前記メッセージがユニキャストメッセージであり、前記ＳＴＡにおける前記現在のＴＸＯＰしきい値が、前記ユニキャストメッセージ中の前記ＴＸＯＰしきい値と交換されるべきである、前にブロードキャストされたＴＸＯＰしきい値である、Ｃ１７に記載の方法。
[Ｃ２１]  前記メッセージが、前記ＴＸＯＰしきい値を有するアップリンク（ＵＬ）送信要求／送信可（ＲＴＳ／ＣＴＳ）制御情報要素（ＩＥ）を含む、Ｃ１７に記載の方法。
[Ｃ２２]  プロセッサと、
前記プロセッサに結合されたメモリと
を備え、ここにおいて、前記メモリは、
アクセスポイント（ＡＰ）において、前記ＡＰに関連付けられた局（ＳＴＡ）における送信要求／送信可（ＲＴＳ／ＣＴＳ）プロトコルのアップリンク（ＵＬ）送信を無効化または有効化するための１つまたは複数の条件を識別することと、
前記ＳＴＡに構成メッセージを送信することと、前記構成メッセージが、前記１つまたは複数の条件を示す構成情報を含む、
を行うために前記プロセッサによって実行可能な命令を含む、
ワイヤレス通信のための装置。
[Ｃ２３]  前記１つまたは複数の条件は、送信オーバーヘッドパラメータが所定のオーバーヘッドしきい値よりも小さいという無効化条件を含む、Ｃ２２に記載の装置。
[Ｃ２４]  前記１つまたは複数の条件は、リンク品質パラメータが所定のリンク品質しきい値よりも大きいという無効化条件を含む、Ｃ２２に記載の装置。
[Ｃ２５]  前記命令が、
前記１つまたは複数の条件に基づいて、前記ＳＴＡにおける前記ＲＴＳ／ＣＴＳプロトコルの前記ＵＬ送信をその中で無効化するための時間ウィンドウまたはチャネルを識別すること
を行うためにさらに実行可能である、Ｃ２２に記載の装置。
[Ｃ２６]  前記１つまたは複数の条件を示す前記構成情報を含む前記構成メッセージを送信するために前記プロセッサによって実行可能な前記命令は、
前記ＡＰにおいて、前記ＳＴＡのための送信機会（ＴＸＯＰ）しきい値を決定することと、
前記ＳＴＡを含む１つまたは複数のＳＴＡに前記ＴＸＯＰしきい値を有するメッセージをブロードキャストすべきなのか、前記ＳＴＡに前記メッセージをユニキャストすべきなのかを決定することと、
前記メッセージをブロードキャストすべきなのか、前記メッセージをユニキャストすべきなのかの前記決定に従って前記メッセージを送信することと、ここにおいて、前記ＳＴＡは、前記ＳＴＡに関連付けられた計画されたＴＸＯＰ持続時間が前記ＴＸＯＰしきい値を満たすとき、前記ＳＴＡにおける前記ＲＴＳ／ＣＴＳプロトコルの前記ＵＬ送信を有効化する、
を行うためにさらに実行可能である、Ｃ２２に記載の装置。
[Ｃ２７]  プロセッサと、
前記プロセッサに結合されたメモリと
を備え、ここにおいて、前記メモリは、
局（ＳＴＡ）において、アクセスポイント（ＡＰ）から構成メッセージを受信することと、ここにおいて、前記構成メッセージが、前記ＡＰに関連付けられた前記ＳＴＡにおける送信要求／送信可（ＲＴＳ／ＣＴＳ）プロトコルのアップリンク（ＵＬ）送信を無効化または有効化するための１つまたは複数の条件を示す構成情報を含む、
前記構成メッセージ中で与えられた前記構成情報に基づいて前記ＳＴＡを構成することと
を行うために前記プロセッサによって実行可能な命令を含む、
ワイヤレス通信のための装置。
[Ｃ２８]  前記ＡＰから前記構成メッセージを受信するための前記命令は、
前記ＳＴＡにおいて前記ＡＰから、送信機会（ＴＸＯＰ）しきい値を有するメッセージを受信することと、
前記受信されたメッセージ中の指示に基づいて、前記ＳＴＡにおける現在のＴＸＯＰしきい値を、前記受信されたメッセージ中の前記ＴＸＯＰしきい値と交換することと、
計画されたＴＸＯＰ持続時間が前記ＴＸＯＰしきい値を満たすと決定することと、
前記計画されたＴＸＯＰ持続時間が前記ＴＸＯＰしきい値を満たすという決定に応答してＵＬ  ＲＴＳフレームを送信することと
を行うための命令を含む、Ｃ２７に記載の装置。
[Ｃ２９]  前記メッセージが前記ＡＰからのブロードキャストメッセージであり、前記指示が、前記現在のＴＸＯＰしきい値を前記ブロードキャストメッセージ中の前記ＴＸＯＰしきい値と交換するようにとの共通指示である前記ブロードキャストメッセージ中のシングルビットである、Ｃ２７に記載の装置。
[Ｃ３０]  前記メッセージが前記ＡＰからのブロードキャストメッセージであり、前記指示が前記ブロードキャストメッセージ中のビットマップであり、ここで、前記ビットマップ中の１つの設定されたビットは、前記ＳＴＡを、それのための前記現在のＴＸＯＰしきい値が、前記ブロードキャストメッセージ中の前記ＴＸＯＰしきい値と交換されるべきであるＳＴＡとして識別する、Ｃ２７に記載の装置。
【図１Ａ】
0006608524.tif 000002
【図１Ｂ】
0006608524.tif 000003
【図２Ａ】
0006608524.tif 000004
【図２Ｂ】
0006608524.tif 000005
【図３Ａ】
0006608524.tif 000006
【図３Ｂ】
0006608524.tif 000007
【図４】
0006608524.tif 000008
【図５】
0006608524.tif 000009
【図６】
0006608524.tif 000010
【図７】
0006608524.tif 000011
【図８Ａ】
0006608524.tif 000012
【図８Ｂ】
0006608524.tif 000013
【図９Ａ】
0006608524.tif 000014
【図９Ｂ】
0006608524.tif 000015